(57)【要約】【課題】打込み機の使用を防止する回胴遊技機の不正防止装置を提供することにある。【解決手段】始動レバー２１０の出力コネクタ部７６５並びに主扉中継基板が収納された扉基板収納ケース８００の入力コネクタ部８０４の双方において、始動レバーの始動信号を伝達するハーネス付きコネクタの各々のコネクタ部材７６７ａ，７６７ｂの引き抜きを不可能とする。少なくとも始動信号を外部に出力する対本体接続コネクタ部材８０５からの対本体接続用ハーネス付きコネクタのコネクタ部材の引き抜きを、収納ケースカバー８０３の上面に取り外し不可能に設けられたコネクタカバー８０８によって不可能とする。【選択図】図４３
2008295617.tif 000002
【特許請求の範囲】
【請求項１】
１回毎のゲームを行うために遊技価値の賭数を決定し、この賭数を決定した状態で始動操作手段による始動操作が行われると、周方向に図柄列が付された複数の図柄表示体を回転させて図柄の表示を変動させ、この後、遊技者による複数回の停止操作を受け付けるとその受付順に前記図柄表示体を停止させ、全ての図柄表示体が停止すると、その時の図柄の組み合わせ態様から入賞の有無を判断し、入賞があった場合は規定数の遊技価値を遊技者に与えて１回毎のゲームを終了とする遊技機であり、
毎回のゲームで前記始動操作を契機として抽選を行い、その抽選結果が予め用意された複数種類の当選役のいずれかに該当するか否かを判断する抽選手段と、
前記抽選手段の抽選結果に基づいて前記図柄表示体の周方向でみた停止位置を制御することで、当選の場合に前記当選役に対応した図柄の組み合わせ態様が表示されることを許容する図柄表示体制御手段とを備え、
停電が生じた際には、遊技に関わる情報を所定時間に亘って保持し、電源が復旧した際には、保持している前記遊技に関わる情報を元に遊技を再開可能であり、
大きな遊技価値を付与可能な当選役においては、対応した図柄の組み合わせ態様が表示されるまでは、複数のゲームにまたがって抽選結果が保持される回胴遊技機における不正防止装置であって、
遊技機の外本体の前面に横開きの扉状に回動可能に取り付けられた扉形前面部材と、
前記始動操作手段が操作されることに応じて出力される始動信号を外部に出力する出力コネクタ部をセンサベースの一面に有する始動センサと、
前記始動信号を内部に入力する入力コネクタ部及び少なくとも前記始動信号を外部の遊技制御基板に向けて出力する対本体接続コネクタ部材を備えた扉基板収納ケースと、
前記始動センサの前記出力コネクタ部に接続されるコネクタ部材を一端に有すると共に、前記扉基板収納ケースの前記入力コネクタ部に接続されるコネクタ部材を他端に有するハーネス付きコネクタと、
前記扉基板収納ケースの前記対本体コネクタ部材に接続されるコネクタ部材を一端に有する対本体接続用ハーネス付きコネクタと、を備え、
前記扉形前面部材の裏面に配置される前記始動操作手段の裏面カバーが、該裏面カバーの後面を形成する後面板と、前記裏面カバーの内側の前記後面板の内面に設けられたセンサ取付部と、前記ハーネス付きコネクタのハーネスを外部に引き出すためのハーネス引出口とを備え、
前記始動センサの出力コネクタ部に、前記ハーネス付きコネクタの一端のコネクタ部材が差し込まれて接続され、前記ハーネス付きコネクタのハーネスが前記ハーネス引出口から外部に引き出され、前記センサベースの一面が前記裏面カバーの前記センサ取付部に当接されると共に、前記裏面カバーと前記始動センサとが取り外し不可能に結合されると共に、前記裏面カバーの前記後面板と前記センサベースとの間の空間に、前記始動センサの出力コネクタ部及びこれに接続されたハーネス付きコネクタの一端のコネクタ部材が封じ込められて抜き取ることが不可能とされた第１のコネクタ引抜防止構造と、
前記扉形前面部材の裏面に配置される前記扉基板収納ケースは、扉基板収納ケースの上面を覆う収納ケースカバーを有し、前記収納ケースカバーの上面にコネクタカバーが設けられ、
前記コネクタカバーは、前記対本体接続コネクタ部材の側部を取り囲むコネクタ接続部材枠部と、前記コネクタ接続部材枠部の側部に形成されると共に、前記入力コネクタ部の側方及び上方を覆う被覆カバー部とを備え、
前記被覆カバー部が、該被覆カバー部の側板部に開設されると共に前記ハーネス付きコネクタのハーネスを外部に引き出すためのハーネス引出口を備え、
前記コネクタ接続部材枠部が、その上面に長方形状の規制開口を備え、前記規制開口の長手方向の寸法が、前記対本体接続コネクタ部材の両端に設けられた両係合アームの外側面間の寸法よりも僅かに大きく形成され、
前記扉基板収納ケースの前記入力コネクタ部に、前記ハーネス付きコネクタの他端のコネクタ部材が差し込まれて接続され、前記ハーネス付きコネクタのハーネスが前記被覆カバー部の側板部の前記ハーネス引出口から外部に引き出され、前記対本体接続用ハーネス付きコネクタの一端のコネクタ部材が前記コネクタカバーの上面側から前記規制開口に挿通されて前記コネクタカバーの裏面側に配置され、前記ハーネス付きコネクタの前記コネクタ接続部材が、前記扉基板収納ケースの前記対本体コネクタ接続部材に差し込まれて接続され、かつ前記対本体接続コネクタ部材の両端に設けられた前記両係合アームの係止爪が前記コネクタ接続部材の後端面に引っ掛かり、引き抜き方向の動きを規制して抜け止めされ、
前記コネクタカバーの前記規制開口に前記対本体接続コネクタ部材の両側の係合アームが挿通されると共に、前記収納ケースカバーの上面に前記コネクタカバーが取り外し不可能に結合され、
前記コネクタカバーの前記被覆カバー部によって、前記扉基板収納ケースの前記入力コネクタ部に接続された前記ハーネス付きコネクタの他端のコネクタ部材が被覆されて抜き取ることが不可能とされた第２のコネクタ引抜防止構造と、
前記コネクタ接続部材枠部の前記規制開口の両側部が、前記対本体接続コネクタ部材の両端に設けられた前記両係合アームの外側面に当接されることにより、前記両係合アームの互いに離隔する方向への回動が規制され、前記対本体接続コネクタ部材から、前記対本体接続用ハーネス付きコネクタのコネクタ部材を抜き取ることが不可能とされた第３のコネクタ引抜防止構造と、
を備えたことを特徴とする回胴遊技機における不正防止装置。
【請求項２】
前記扉基板収納ケースは、前記収納ケースカバーと、前記収納ケースカバーによって上面全面が覆われるケース本体とからなり、前記扉基板収納ケースの内部に前記入力コネクタ部が設けられた中継基板が収納された状態で、前記ケース本体に前記収納ケースカバーが取り外し不可能に結合されていることを特徴とする請求項１に記載の回胴遊技機における不正防止装置。
【請求項３】
前記コネクタカバーは、前記被覆カバー部と、前記コネクタ接続部材枠部に代えて前記対本体接続コネクタ部材を外部に対して覆う対本体接続コネクタ部材被覆カバー部とを備え、
前記対本体接続コネクタ部材被覆カバー部が、前記対本体接続用ハーネス付きコネクタのハーネスを外部に引き出すための対本体接続用ハーネス引出口を備え、
前記対本体接続用ハーネス付きコネクタの前記コネクタ接続部材が、前記扉基板収納ケースの前記対本体コネクタ接続部材に差し込まれて接続され、かつ前記対本体接続用ハーネス付きコネクタのハーネスが前記対本体接続用ハーネス引出口から外部に引き出され、
前記第２のコネクタ引抜防止構造を備えた上で、前記第３のコネクタ引抜防止構造に代えて、前記コネクタカバーの前記対本体接続コネクタ部材被覆カバー部によって、前記対本体接続コネクタ部材及び前記対本体接続用ハーネス付きコネクタの前記コネクタ接続部材が外部に対して被われて抜き取ることが不可能とされた第４のコネクタ引抜防止構造とを備えたことを特徴とする請求項１に記載の回胴遊技機における不正防止装置。
【発明の詳細な説明】
【技術分野】
【０００１】
本発明は、特に、打込み機を使用して成立させる不正なボーナスゲーム状態での遊技客へのサービスを防止する回胴遊技機における不正防止装置に関するものである。
【背景技術】
【０００２】
回胴遊技機（以下、スロットマシンという）が設置されている遊技場にあって、集客のための手段としてモーニングサービスを実施している店がある。スロットマシンにおけるモーニングサービスとは、遊技場開店時に、最初からボーナスゲーム状態として遊技客にゲームを行わせるものである。このようなボーナスゲーム状態を意図的に作り出す装置として、打込み機が知られている。打込み機とは、通常遊技者によって行われるスロットマシンの一連の手動操作に代って、スロットマシンに接続された打込み機が電子的に操作信号をスロットマシンに与えて遊技動作を行うもので、使用方法としては、抽選によりボーナスフラグが立つまで遊技動作を自動的に打込み機に繰り返し行わせるものである。
【０００３】
ボーナスフラグは図柄が揃うまでは立ったままなので、閉店後に打込み機を使ってボーナスフラグを立てておき、翌日、電源投入して最初に遊技した客がボーナスゲームを行うことができる。このような打込み機の使用によるボーナスゲームのサービスは、遊技客の間或いは遊技場の間で不公平が生じることになる。
【０００４】
そこで、スロットマシンに対して打込み機を使用できなくすることが課題となる。スロットマシンに対する打込み機の接続は、メダルセレクタ、始動レバー及びストップボタンの各信号線（ハーネス）を外し、メダルセレクタ、始動レバー及びストップボタンの代りに打込み機を主制御基板（遊技制御基板）に対して接続するというものである。主制御基板までの信号の経路は、以下の通りである。
ア．メダルセレクタ／始動レバー／ストップボタンの各コネクタ
イ．主扉中継基板（遊技機本体に対して開閉される扉に配設）に信号が入るコネクタ
ウ．主扉中継基板から信号が出るコネクタ
エ．主制御基板のコネクタ
【０００５】
なお、従来より知られている回胴遊技機では、メダルセレクタ、始動レバー及びストップボタンの各信号線（ハーネス）を抜いて外すという行為に対して格別の対策は取られていなかった。例えば、特許文献１に開示されるスロットマシンでは、主制御基板からのコネクタと接続されるＭＡＸベットボタンの回路基板に配設されたコネクタが、外部に露出した状態で設けられている。また、特許文献２に開示されるスロットマシンにおいても、遊技装置の前面枠の裏面に露出して配置された中継基盤にスタート及びストップ等の系統のコネクタが露出した状態で直接接続されている。
【０００６】
【特許文献１】特開２００４−１１３４７７号公報（段落［００１８］、図４参照）
【特許文献２】特許第３２５１３１４号公報（段落［０１５２］〜段落［０１５３］図３、図４７参照）
【発明の開示】
【発明が解決しようとする課題】
【０００７】
上述したア〜エに掲げた箇所の内、エの部分は、信号線と停電用のバックアップ用電源を同一のコネクタによって供給する構成とすれば、エの部分でコネクタを抜けば、主制御基板が初期化処理を行ってＲＡＭクリアされるため、打込み機の機能を無効化可能である。従って、コネクタに対して抜き防止対策するのは上記ア．イ．ウの部分となる。なぜならば、打込み機は、メダルセレクタ／始動レバー／ストップボタンのうちのどれか１つでも信号が欠けた場合には使用不可能であるからである。
【０００８】
図４６は、従来のスロットマシンの扉形前面部材の裏面の要部を拡大して示す図である。扉形前面部材２００は、スロットマシンの外本体（図１参照）の前面に横開きの扉状に回動可能に取り付けられている。図４６に示すように、扉形前面部材２００の中央一側には、始動レバー２１０′の裏面部分である裏面カバー及び出力コネクタ部が配置され、始動レバー２１０′の裏面カバーの下方には、内部に主扉中継基板（図示せず）と扉装飾駆動基板（図示せず）を収納した扉基板収納ケース８００′が配設されている。
【０００９】
図４７は、従来の始動レバー２１０′の一部を破断して斜め裏面から示す斜視図である。始動レバー２１０′は、前端に球状をなした操作部７５０を備えた金属製杆状の操作レバー７５１の中央部分が略円筒形状をなしたレバー本体７５２に横設された支軸７５３により回動可能に支持されている。レバー本体７５２の基部寄りには、略矩形板状のフランジよりなる取付ベース７５４が形成され、取付ベース７５４の四隅には固定用孔７５５が設けられている。始動レバー２１０′は、扉形前面部材２００の裏面よりレバー本体７５２が操作パネル（図示せず）の配設箇所に嵌め込まれ、固定用孔７５５に座金付きのビス（図示せず）を挿入し、該ビスを操作パネルにねじ込んで取り付けられ、球状をなした操作部７５０が遊技者に対して操作可能な状態に扉形前面部材２００の前面に露出して配設される。
【００１０】
図４７に示すように、操作レバー７５１の後端部は取付ベース７５４よりも後方に突出され、操作レバー７５１の後端部に臨んで始動センサ７５６が配設される。始動センサ７５６は左右に突設された検出部７５７，７５７を備えると共に、両検出部７５７，７５７の間に間隙７５８が形成されている。操作レバー７５１の後端部は、バネ７５９の付勢力により始動センサ７５６の間隙７５８に配置される。操作部７５０を上下方向に回動操作すると、支軸７５３回りに操作レバー７５１の後端部が下方又は上方に回動して始動センサ７５６の両検出部７５７，７５７の間隙７５８から離脱することにより、操作部７５０が操作されることに応じて始動センサ７５６が始動信号を出力する。始動センサ７５６は蓋状の裏面カバー７６０の内側に取り付けられ、取付ベース７５４の裏面には、裏面カバー７６０に対する取付用周壁７６１が突設され、裏面カバー７６０を取付用周壁７６１の内周面に嵌め込むと、裏面カバー７６０の両側前部に設けられた係止爪７６２が取付用周壁７６１の両側に設けられた係止孔７６３に係合されて取り付けられる。
【００１１】
従来の始動レバー２１０′は、蓋状の裏面カバー７６０の後面の凹部７６４に始動センサ７５６を嵌め込み、外から固定ネジ７６５をねじ込んで裏面カバー７６０に対して始動センサ７５６を固定している。図４７に示すように、従来の始動レバー２１０′では、始動センサ７５６の始動信号を出力するための出力コネクタ部７６６が裏面に露出した状態となっている。このため、出力コネクタ部７６６に接続しているハーネス付きコネクタの一端のコネクタ部材７６７ａを容易に抜き取ることができてしまうものであった。
【００１２】
また、図４８は従来の扉基板収納ケース８００′の斜視図である。図４８に示すように、扉基板収納ケース８００′は、内部に扉装飾駆動基板（図示せず）を収納した四角形状をなした扉装飾駆動基板収納部分８０１の側部に、扉装飾駆動基板よりも小型の四角形状で、内部に主扉中継基板（図示せず）を収納した主扉中継基板収納部分８０２が一体に形成されている。従来の扉基板収納ケース８００′では、扉基板収納ケース８００′の上面を覆う収納ケースカバー８０３の外面に、始動センサ７５６の接続先である入力コネクタ部８０４が露出した状態で配置されているために、入力コネクタ部８０４に接続されている始動センサ７５６に接続したハーネス付きコネクタの他端のコネクタ部材７６７ｂを容易に抜き取ることができてしまうものであった。
【００１３】
また、符号８０５は、内部に主扉中継基板から主中継基板（図示せず、遊技機本体側に配設されている）へ信号を送出する対本体接続コネクタ部材（３０ピン雌型）である。なお、以下の説明では、単に対本体接続コネクタ部材８０５という。対本体接続コネクタ部材８０５の両側部には、先端に抜け止め用の係止爪８０６を有する係合アーム８０７が互いに離隔する方向に回動可能に設けられている。主扉中継基板と主中継基板との接続は、主扉中継基板の対本体接続コネクタ部材８０５に対応接続するコネクタ部材を一端に備えた対本体接続用ハーネス付きコネクタ（従来より周知の接続部材であるため図示せず）を用いて行われる。該対本体接続用ハーネス付きコネクタのコネクタ部材を、主扉中継基板の対本体接続コネクタ部材８０５に向けて差し込む際に、両側の係合アーム８０７，８０７が互いに離隔する方向（外側方向）に回動させ、対本体接続用ハーネス付きコネクタのコネクタ部材を完全に差し込むと、両側の係合アーム８０７，８０７がコネクタ部材に押されて元位置に戻り、先端の係止爪８０６，８０６が対本体接続用ハーネス付きコネクタのコネクタ部材の後端面に引っ掛かり、引き抜き方向の動きを規制して抜け止めされる。
【００１４】
しかしながら、従来の扉基板収納ケース８００′では、対本体接続コネクタ部材の両側部の係合アーム８０７，８０７が互いに離隔する方向に回動可能な状態のまま収納ケースカバー８０３の外面に露出した状態となっている。このため、両側部の係合アーム８０７，８０７を互いに離隔する方向（外側方向）に回動させれば、対本体接続コネクタ部材８０５に接続している対本体接続用ハーネス付きコネクタのコネクタ部材を容易に抜き取ることができてしまうものであった。
【００１５】
そこで、本発明の目的は、始動操作手段の始動信号を伝達するハーネス付きコネクタの一端のコネクタ部材の始動操作手段の出力コネクタ部からの引き抜きを不可能とする並びに始動操作手段の始動信号を伝達するハーネス付きコネクタの接続先となる扉基板収納ケースの入力コネクタ部からのハーネス付きコネクタの他端のコネクタ部材の引き抜きを不可能とし、主扉中継基板から少なくとも始動信号が出る対本体接続コネクタ部材からの対本体接続用ハーネス付きコネクタのコネクタ部材の引き抜きを不可能とし、打込み機の使用を防止する回胴遊技機における不正防止装置を提供することにある。
【課題を解決するための手段】
【００１６】
本発明の回胴遊技機における不正防止装置は、以下のような回胴遊技機において適用されるものである。すなわち、１回毎のゲームを行うために遊技価値の賭数を決定し、この賭数を決定した状態で始動操作手段（例えば、始動レバーあるいは始動ボタン）による始動操作が行われると、周方向に図柄列が付された複数の図柄表示体を回転させて図柄の表示を変動させ、この後、遊技者による複数回の停止操作を受け付けるとその受付順に前記図柄表示体を停止させ、全ての図柄表示体が停止すると、その時の図柄の組み合わせ態様から入賞の有無を判断し、入賞があった場合は規定数の遊技価値を遊技者に与えて１回毎のゲームを終了とする遊技機であって、毎回のゲームで前記始動操作を契機として抽選を行い、その抽選結果が予め用意された複数種類の当選役のいずれかに該当するか否かを判断する抽選手段と、前記抽選手段の抽選結果に基づいて前記図柄表示体の周方向でみた停止位置を制御することで、当選の場合に前記当選役に対応した図柄の組み合わせ態様が表示されることを許容する図柄表示体制御手段とを備え、停電が生じた際には、遊技に関わる情報を所定時間に亘って保持し、電源が復旧した際には、保持している前記遊技に関わる情報を元に遊技を再開可能であり、大きな遊技価値を付与可能な当選役においては、対応した図柄の組み合わせ態様が表示されるまでは、複数のゲームにまたがって抽選結果が保持される回胴遊技機。
【００１７】
本発明の回胴遊技機における不正防止装置は、上記回胴遊技機において、遊技機の外本体の前面に横開きの扉状に回動可能に取り付けられた扉形前面部材と、前記始動レバーが操作されることに応じて出力される始動信号を外部に出力する出力コネクタ部をセンサベースの一面に有する始動センサと、前記始動信号を内部に入力する入力コネクタ部及び少なくとも前記始動信号を外部の前記外本体に出力する対本体接続コネクタ部材を備えた扉基板収納ケースと、前記始動センサの前記出力コネクタ部に接続されるコネクタ部材を一端に有すると共に、前記扉基板収納ケースの前記入力コネクタ部に接続されるコネクタ部材を他端に有するハーネス付きコネクタと、前記扉基板収納ケースの前記対本体コネクタ部材に接続されるコネクタ部材を一端に有する対本体接続用ハーネス付きコネクタと、を備え、
前記扉形前面部材の裏面に配置される前記始動レバーの裏面カバーが、該裏面カバーの後面を形成する後面板と、前記裏面カバーの内側の前記後面板の内面に設けられたセンサ取付部と、前記センサ取付部に形成されたネジ受部と、前記ハーネス付きコネクタのハーネスを外部に引き出すためのハーネス引出口とを備え、前記始動センサの出力コネクタ部に、前記ハーネス付きコネクタの一端のコネクタ部材が差し込まれて接続され、前記ハーネス付きコネクタのハーネスが前記ハーネス引出口から外部に引き出され、前記センサベースの一面が前記裏面カバーの前記センサ取付部に当接されると共に、前記センサベースの他面からワンウェイネジが前記センサ取付部の前記ネジ受部にねじ込まれて前記裏面カバーと前記始動センサとが取り外し不可能に結合されると共に、前記裏面カバーの前記後面板と前記センサベースとの間の空間に、前記始動センサの出力コネクタ部及びこれに接続されたハーネス付きコネクタの一端のコネクタ部材が封じ込められて抜き取ることが不可能とされた第１のコネクタ引抜防止構造と、
前記扉形前面部材の裏面に配置される前記扉基板収納ケースは、扉基板収納ケースの上面を覆う収納ケースカバーを有し、前記収納ケースカバーの上面にコネクタカバーが設けられ、前記収納ケースカバーの外面の前記入力コネクタ部の側方位置に、上面に受孔を備えた支持筒が突設され、前記コネクタカバーは、前記対本体接続コネクタ部材の側部を取り囲むコネクタ接続部材枠部と、前記コネクタ接続部材枠部の側部に形成されると共に、前記入力コネクタ部の側方及び上方を覆う被覆カバー部とを備え、前記被覆カバー部が、前記支持筒の上方に延出された上板部と、前記上板部の前記支持筒の上方に対応する位置に穿設された固定用孔と、前記固定用孔の周囲を取り囲んで突設されたボス部と、該被覆カバー部の側板部に開設されると共に前記ハーネス付きコネクタのハーネスを外部に引き出すためのハーネス引出口とを備え、前記コネクタ接続部材枠部が、その上面に長方形状の規制開口を備え、前記規制開口の長手方向の寸法が、前記対本体接続コネクタ部材の両端に設けられた両係合アームの外側面間の寸法よりも僅かに大きく形成され、
前記扉基板収納ケースの前記入力コネクタ部に、前記ハーネス付きコネクタの他端のコネクタ部材が差し込まれて接続され、前記ハーネス付きコネクタのハーネスが前記被覆カバー部の側板部の前記ハーネス引出口から外部に引き出され、前記対本体接続用ハーネス付きコネクタの一端のコネクタ部材が前記コネクタカバーの上面側から前記規制開口に挿通されて前記コネクタカバーの裏面側に配置され、前記ハーネス付きコネクタの前記コネクタ接続部材が、前記扉基板収納ケースの前記対本体コネクタ接続部材に差し込まれて接続され、かつ前記対本体接続コネクタ部材の両端に設けられた前記両係合アームの係止爪が前記コネクタ接続部材の後端面に引っ掛かり、引き抜き方向の動きを規制して抜け止めされ、
前記コネクタカバーの前記規制開口に前記対本体接続コネクタ部材の両側の係合アームが挿通されると共に、前記被覆カバー部の前記固定用孔に前記支持筒の受孔が一致され、上方からカシメリベットが前記被覆カバー部の前記固定用孔を通じて前記収納ケースカバーの前記支持筒の受孔に圧入され、前記コネクタカバーが収納ケースカバーに対して取り外し不可能にカシメ止めされ、前記収納ケースカバーの上面に前記コネクタカバーが取り外し不可能に結合され、
前記コネクタカバーの前記被覆カバー部によって、前記扉基板収納ケースの前記入力コネクタ部に接続された前記ハーネス付きコネクタの他端のコネクタ部材が被覆されて抜き取ることが不可能とされた第２のコネクタ引抜防止構造と、
前記コネクタ接続部材枠部の前記規制開口の両側部が、前記対本体接続コネクタ部材の両端に設けられた前記両係合アームの外側面に当接されることにより、前記両係合アームの互いに離隔する方向への回動が規制され、前記対本体接続コネクタ部材から、前記対本体接続用ハーネス付きコネクタのコネクタ部材を抜き取ることが不可能とされた第３のコネクタ引抜防止構造と、を備えたことを特徴とする。
【００１８】
さらに、上記回胴遊技機における不正防止装置において、前記扉基板収納ケースは、前記収納ケースカバーと、前記収納ケースカバーによって上面全面が覆われるケース本体とからなり、前記扉基板収納ケースの内部に前記入力コネクタ部が設けられた中継基板が収納された状態で、前記ケース本体に前記収納ケースカバーが取り外し不可能に結合されている構造を備えていることが好ましい。
【００１９】
また、前記第１のコネクタ引抜防止構造及び前記第２のコネクタ引抜防止構造を備えた構成とした上で、前記対本体接続コネクタ部材と前記対本体接続用ハーネス付きコネクタのコネクタ部材との接続部分に設けられる前記第３のコネクタ引抜防止構造に代えて、下記の第４のコネクタ引抜防止構造を備えた構成とした場合でも、本発明の目的・効果を達成することが可能である。すなわち、前記コネクタカバーは、前記被覆カバー部と、前記コネクタ接続部材枠部に代えて前記対本体接続コネクタ部材を外部に対して覆う対本体接続コネクタ部材被覆カバー部とを備え、前記対本体接続コネクタ部材被覆カバー部が、前記対本体接続用ハーネス付きコネクタのハーネスを外部に引き出すための対本体接続用ハーネス引出口を備え、前記対本体接続用ハーネス付きコネクタの前記コネクタ接続部材が、前記扉基板収納ケースの前記対本体コネクタ接続部材に差し込まれて接続され、かつ前記対本体接続用ハーネス付きコネクタのハーネスが前記対本体接続用ハーネス引出口から外部に引き出され、前記第４のコネクタ引抜防止構造は、前記コネクタカバーの前記対本体接続コネクタ部材被覆カバー部によって、前記対本体接続コネクタ部材及び前記対本体接続用ハーネス付きコネクタの前記コネクタ接続部材が外部に対して被われて抜き取ることが不可能とされたコネクタ引抜防止構造とする。
【発明の効果】
【００２０】
本発明の回胴遊技機における不正防止装置によれば、第１のコネクタ引抜防止構造によって、始動レバーの始動信号を伝達するハーネス付きコネクタの一端のコネクタ部材の始動レバーの出力コネクタ部からの引き抜きが不可能となる。また、収納ケースカバーに取り外し不可能に結合されたコネクタカバーの被覆カバー部による第２のコネクタ引抜防止構造により、始動レバーの始動信号を伝達するハーネス付きコネクタの接続先となる扉基板収納ケースの入力コネクタ部からのハーネス付きコネクタの他端のコネクタ部材の引き抜きが不可能となる。さらに、コネクタカバーのコネクタ接続部材枠部の規制開口による第３のコネクタ引抜防止構造により、扉基板収納ケースの対本体接続コネクタ部材からの対本体接続用ハーネス付きコネクタの引き抜きが不可能となる。以上により、打込み機は、始動レバーの始動信号を伝達するハーネスを引き抜くことが不可能であるため、打込み機を接続することは不可能となり、打込み機を使用した不正を防止することができる。
【発明を実施するための最良の形態】
【００２１】
以下に本発明の実施の形態を遊技機たるスロットマシンを例に図面を参照しつつ説明する。なお、図１はスロットマシンの分解斜視図、図２は扉形前面部材を省略した状態を示すスロットマシンの分解斜視図、図３はスロットマシンの斜視図、図４は扉形前面部材を省略した状態を示すスロットマシンの縦断面図、図５は図４のＺ１部拡大図、図６はコネクタホルダーを移動させた状態を示す図４のＺ１部拡大図、図７は扉形前面部材を省略した状態を示すスロットマシンの横断面図、図８（ａ）は図７のＺ２部拡大図、図８（ｂ）はコネクタホルダーを移動させた状態を示す図７のＺ２部拡大図、図９は図８（ａ）の要部を示す拡大図、図１０は背板側を示すスロットマシン要部の横断面図、図１１はケース部材の分解斜視図、図１２はケース部材を後ろから見た斜視図、図１３（ａ），（ｂ）はコネクタホルダーの仮止め状態を説明するケース部材の要部の斜視図、図１４は配線中継部材の分解斜視図、図１５は配線中継部材のカバー体を省略した正面図、図１６−１，図１６−２はコネクタホルダーの分解斜視図、図１７はケース部材を止めるストッパーの斜視図、図１８は他の形態を示すストッパーの斜視図、図１９，図２０はケース部材のガイド構造を示す要部の断面図、図２１は把手の他の形態を示す図柄変動表示装置の部分斜視図、図２２はケース部材と外本体側のストッパーとの関係を示す要部の斜視図、図２３は配線窓と図柄変動表示装置のリールとの関係を示す要部の断面図、図２４はスロットマシン上部の縦断面図、図２５はメダル放出装置を省略してスロットマシンの下半部を示す斜視図、図２６は図２５の分解斜視図、図２７はスロットマシンの裏側から放熱口を見た背面図、図２８は電源装置を示すスロットマシンの一部断面部分正面図、図２９は電源装置を下から見上げた状態を示す斜視図、図３０は他の形態を示すもので外本体の側板と電源装置の要部断面図、図３１は他の形態を示す照明装置の概略断面図、図３２は透明板と発光ユニットを分解して示す扉形前面部材の斜視図、図３３は透明板を分解して示す扉形前面部材の斜視図、図３４は透明板を装着した扉形前面部材の図３２Ａ−Ａ線相当断面図、図３５はヒンジ金具の分解・組み立て斜視図、図３６はヒンジ金具の連鎖を示す線図、図３７は扉形前面部材を示す要部の横断平面図、図３８は開く途中の扉形前面部材を示す要部の横断平面図、図３９は扉形前面部材の上半部を示す裏側から見た斜視図、図４０は他のヒンジ金具の例を示す扉形前面部材の要部横断平面図、図４１は図４０の扉形前面部材の開く途中を示す要部の横断平面図である。
【００２２】
本発明のスロットマシン１は、前面が開口する箱形の外本体１００と、該外本体１００の前面に回転軸１００ａをもって横開きの扉状に回動可能に取り付けた扉形前面部材２００と、複数の図柄を駆動手段で変動させる図柄変動表示装置３００と、前記外本体１００に対し着脱自在であって前面に開口部４０１を有するケース部材４００と、任意の画像を表示する画像表示体５００と、を有する。
【００２３】
［外本体］
外本体１００は、図１〜図４に示したように底板１０１の左右に側板１０２，１０２を取着すると共に該側板１０２，１０２の頂部に天板１０３を設置して正面視縦長「口」字形の枠状となし、その枠の背に背板１０４を固着して前面のみ開口する箱形に形成してなる。前記左右の側板１０２，１０２は前縁が後傾状態に僅かに傾斜する台形になっており、従って外本体１００の開口は後傾状態の傾きを有する。また、前記天板１０３には、遊技機設置島（図示せず）に設置した状態で該遊技機設置島の上桟６００（図２４想像線参照）と対向する領域内に複数（実施形態では４個）の貫通孔１３２，１３２…が穿設されている。
【００２４】
［外本体−仕切板］
外本体１００内には高さのほぼ中央に棚板状の仕切板１０５が設けられている。該仕切板１０５は金属製であって、図１，図２に示したように中央に突段部１０６を有する正面視略凸形であり、両端に形成した垂直な取付片１０７を外本体１００の側板１０２，１０２内面に固着し、また、後端に形成した垂直な取付片１０８を外本体１００の背板１０４内面に固着して取り付けられる。なお、仕切板１０５の後端の取付片１０８にはバーリング加工（下孔の孔径をポンチで広げながら短筒状の突起を立ち上げる金属加工）による筒状突起（図示せず）が形成されており、該筒状突起を外本体１００の背板１０４にプレ加工した小孔（図示せず）に打ち込んで位置決めされる。また、仕切板１０５の両横の最奥部には外本体１００の背板１０４との間に配線用の開口１０９が形成されている。
【００２５】
［外本体−仕切板−下スペース］
外本体１００内の前記仕切板１０５より下のスペースには、遊技媒体たるメダルを前記扉形前面部材２００の前面下部にあるメダル用受皿２０１に放出するメダル放出装置１１０と、メダル放出装置１１０からオーバーフローするメダルを貯めるメダル用補助収納箱１１１と、電源装置１１２等が設けられている。
【００２６】
［外本体−仕切板−下スペース−メダル放出装置］
前記メダル放出装置１１０は、駆動手段を内蔵した装置本体１１０ａにメダル貯留用のホッパ１１０ｂを取り付けたものであり、装置本体１１０ａの前面にメダルの放出口１１０ｃが設けられていて、ホッパ１１０ｂ内にあるメダルが前記駆動手段の作動により放出口１１０ｃに向けて１枚ずつ送り出される。また、ホッパ１１０ｂには溢れたメダルを排出させるオーバーフロー樋１１０ｄが設けてあり、そのオーバーフロー樋１１０ｄの突端下方に前記したメダル用補助収納箱１１１が臨む。なお、メダル放出装置１１０のメダル放出機構は、現在公知のどのようなものを採用してもよく、よって詳細な説明を省略する。
【００２７】
［外本体−仕切板−下スペース−電源装置］
前記電源装置１１２は、図２５〜図２９に示したように、外本体１００の底板１０１と、正面向かって左側の側板１０２と、背板１０４の三部材が直交する内側コーナー部分に取り付けられている。電源装置１１２は、前記メダル放出装置１１０等の電気部品に電気を供給するためのものであって発熱しやすい部品であり、従って外本体１００の背板１０４には電源装置１１２の取付部位に放熱口１０４ａが開設されている。
【００２８】
電源装置１１２の装置ケース１１２ａは、透明な合成樹脂で形成されている。こうすることにより装置ケース１１２ａの内部が見えるから、電源装置１１２の基板１１２ｓ（図２９参照）等に対する不正工作の発見が容易になる。
装置ケース１１２ａは、上面をカバーする上面板１１２ｂと、外本体１００の背板１０４に対向する後面板１１２ｃと、該後面板１１２ｃの反対側をカバーする正面板１１２ｄと、スロットマシン１の内部に向かう側をカバーする側面板１１２ｅと、上面板１１２ｂと側面板１１２ｅの境界部分を面取り形態にカバーする斜面板１１２ｆと、底部をカバーする底面板１１２ｒ（図２９参照）で形成されている。一方、装置ケース１１２ａの、外本体１００の側板１０２に対向する側の面はカバーされておらず開放状態にあるが、この開放面は外本体１００に取り付けた状態で外本体１００の側板１０２によって塞がれる。
なお、外本体１００の側板１０２には図２５，図２６に示したように凸面部１０２ａを設けて段状のガード部１０２ｂを形成し、該ガード部１０２ｂの下に装置ケース１１２ａの上面板１１２ｂの一側を潜り込ませる仕様になっている。これにより装置ケース１１２ａの一面をカバーしなくてもガード部１０２ｂによって装置ケース１１２ａと側板１０２の継ぎ目が塞がれるから異物の差込みが行えない。図３０は前記ガード部１０２ｂを溝状にした他の実施形態を示すものであり、この例では装置ケース１１２ａの上面板１１２ｂの縁を側板１０２側に若干突出させてその先をガード部１０２ｂの溝に嵌め込むようになっている。
このように電源装置１１２の装置ケース１１２ａにおいて、外本体１００の側板１０２に当接する側の面をカバー無しの開放構造にして使用時に前記側板１０２で塞がるようにした場合は、装置ケース１１２ａ内への基板１１２ｓ等の組み込みが開放面を使って行い易く、また、装置ケース１１２ａに基板１１２ｓ等を組み込んだ後の開放面へのカバー付けが不要であるから作業性が向上する。
【００２９】
前記装置ケース１１２ａの上面板１１２ｂ、側面板１１２ｅ、斜面板１１２ｆ、後面板１１２ｃ、底面板１１２ｒには多数の通気孔１１２ｇ，１１２ｇ…が形成されていて内部に熱がこもらないようになっている。装置ケース１１２ａは、底部に設けた脚部１１２ｈ，１１２ｈ…によって高床式に持ち上げられており、装置ケース１１２ａの底面板１１２ｒと外本体１００の底板１０１の間に通気空間１１２ｉが形成されている。従って、通気空間１１２ｉから底面板１１２ｒの通気孔１１２ｇ，１１２ｇ…を通って低層の比較的冷たい空気が装置ケース１１２ａ内に導入できる。実施形態の通気空間１１２ｉは、外本体１００の前記放熱口１０４ａに連通するようになっているため、機裏の冷たい空気を通気空間１１２ｉに導入することができる。なお、装置ケース１１２ａの後面板１１２ｃと底面板１１２ｒの境界部に前記通気空間１１２ｉを嵩上げする逆Ｌ字形の段部１１２ｊ（図２９参照）を形成すれば、脚部１１２ｈの高さと放熱口１０４ａの高さにズレがあっても通気空間１１２ｉを放熱口１０４ａに連通させることができる。
【００３０】
［外本体−仕切板−下スペース−電源装置−固定］
電源装置１１２は、装置ケース１１２ａの正面板１１２ｄの一側辺に対して直角である取付片１１２ｋと、装置ケース１１２ａの後面板１１２ｃから外本体１００の背板１０４に向けて突設した突部１１２ｍと、外本体１００の背板１０４に開設した放熱口１０４ａと、の組合せにより外本体１００に固定される。
【００３１】
すなわち、放熱口１０４ａの輪郭は装置ケース１１２ａの後面板１１２ｃの輪郭より小さく形成されており、従って電源装置１１２は外本体１００の背板１０４に当たって放熱口１０４ａを通らない。また、装置ケース１１２ａの後面板１１２ｃに突設した突部１１２ｍは、前記放熱口１０４ａに内接する位置にあり、電源装置１１２の浮き上がり動作に抗すべく放熱口１０４ａの上辺に内接する水平な突片１１２ｍ−１と、電源装置１１２の横転動作に抗すべく放熱口１０４ａの縦辺に内接する垂直な突片１１２ｍ−２で構成される。従って、電源装置１１２を外本体１００の側板１０２の内面に沿わせて押し込み、放熱口１０４ａに突部１１２ｍを差し込むだけで、装置ケース１１２ａの後面（奥側）の上方向（浮き上がり）と図２５において右方向（横転）への固定が完了する。もちろん電源装置１１２は、下方向に対しては外本体１００の底板１０１によって、また、図２５において左方向に対しては外本体１００の側板１０２によってその動きが規制されるため、放熱口１０４ａに突部１１２ｍを嵌め込むだけの単純な操作で、手前に引っ張る方向以外について電源装置１１２の動きが完全に規制できる。
一方、正面板１１２ｄに突設した取付片１１２ｋにはビス用の透孔１１２ｐが複数穿設されており、該透孔１１２ｐの少なくとも１個に木ねじ１１２ｑを通して外本体１００の側板１０２に固定する。これにより手前に引っ張る方向についても電源装置１１２の動きが規制されるため、１本の木ねじ１１２ｑで外本体１００への電源装置１１２の確実な固定が可能である。
【００３２】
［外本体−仕切板−下スペース−電源装置−電源コード］
電源装置１１２には外部から電気の供給を受けるための電源コード（図示せず）が接続されている。そして、従来は前記放熱口１０４ａの横に膨出部を設けてそこから前記電源コードを引き出すようにしていたが、この位置では電源コードを束ねても地面にすれる危険性が高い。スロットマシン１は、製造途中で電源を投入する場合があり、そのときに備えて外本体１００の外に電源コードを出しておかなければならないから、製造ライン上での移動の際やライン間での移動の際に電源コードが地面にすれたりスロットマシン１の底板１０１の下に入って挟まるおそれがある。
これに対し実施形態の放熱口１０４ａは、その上辺から上に向けてコード引出口１０４ｂを拡張し、そこから電源コードを引き出すようにしている。これにより束ねた電源コードを宙づり状態にぶら下げるに十分な高さが確保できる。よってスロットマシン１を製造する工程で誤って電源コードを傷めてしまうトラブルが激減する。
【００３３】
以上のように本発明のスロットマシン１は、電源装置１１２を外本体１００の内側コーナー部分にセットして１本の木ねじ１１２ｑをねじ込むだけで取り付けが完了するため、従来に比べて電源装置１１２の取付作業の大幅な省力化が可能である。また、本発明では、１つの面に対してネジ止めすれば固定が完了するので、特に、固定する部位を電源装置１１２の前方（手前）に持ってきた場合は視認しやすく、確実に固定できる。ちなみに、従来は電源装置１１２の複数の面或は部材に対してネジ止めする必要があり、特に、背板１０４に固定するネジは視認しにくいため忘れる可能性があった。
また、放熱口１０４ａは、電源装置１１２の冷却手段として必要なものであるから、この放熱口１０４ａを電源装置１１２の固定に利用しても余分な工程やコストは殆ど発生しない。却って、固定のために放熱口１０４ａの位置と電源装置１１２の位置を一致させることになるから冷却効率が向上する。加えて、装置ケース１１２ａを実施形態のごとく合成樹脂製にした場合には、取付用の突部１１２ｍも一体成形できるため殆どコストが掛からない。よって電源装置１１２の取り付けに要するトータルのコストも従来に比べて削減できる。
さらにまた、装置ケース１１２ａを合成樹脂製にした場合には、電源装置１１２の発熱対策として有用な装置ケース１１２ａの脚部１１２ｈや段部１１２ｊも殆どコストを掛けずに実施できるメリットがある。
【００３４】
［外本体−仕切板−上スペース］
一方、外本体１００内の仕切板１０５より上のスペースには前記ケース部材４００が納められ、また、外本体１００の背板１０４の内面には後述する配線手段の中核となる配線中継部材１１３が取り付けられ（図１，図２参照）、さらに背板１０４には配線中継部材１１３より上方に放熱用の通気口１３３が形成されている。
【００３５】
［扉形前面部材］
図３に扉形前面部材２００の表側が、また、図１に扉形前面部材２００の裏側が示されている。扉形前面部材２００は、表側の下方にメダル用受皿２０１を有し、また、表側のほぼ中央に操作部２０２が設けられている。この操作部２０２には、メダル投入用の投入口２０３と、後述する主制御基板（請求項１に記載の遊技制御基板に相当する）４０９のメモリーにデータとして蓄えられているメダルから１枚のみの投入（引き落とし）を指示する１枚投入ボタン２０５と、同じく１回のゲームで使用可能な最高枚数（例えば３枚）の投入を指示するＭＡＸ投入ボタン２０６と、後述するメダルセレクタ２０７の中に詰まったメダルをメダル用受皿２０１に戻すためのメダル返却ボタン２０８と、主制御基板４０９のメモリーにデータとして蓄えられているメダルの貯留解除命令（精算による放出命令）を入力するための貯留解除スイッチ２０９と、前記図柄変動表示装置３００を作動させる始動操作手段としての始動レバー２１０と、図柄変動表示装置３００の各リール３０１ａ，３０１ｂ，３０１ｃを停止させる３個のリール停止ボタン２１１ａ，２１１ｂ，２１１ｃ等が設けられている。もちろんここに示した操作部２０２の構成は１つの例示であり、これらに限定されるものではない。
【００３６】
また、前記投入口２０３の裏側にはメダルセレクタ２０７が設けられており、そのメダルセレクタ２０７の横にメダル樋２１２が、また、下に返却樋２１３が接続している。メダルセレクタ２０７は内蔵したソレノイド（図示せず）をＯＮ・ＯＦＦさせることによって流路を切り替える公知のものであり、遊技者からのメダルの投入を待つ遊技状態のときには流路をメダル樋２１２側に、また、規定枚数を超えたメダルの投入など、メダルの投入を拒否する遊技状態のときには流路を返却樋２１３側に設定する。前記メダル樋２１２は、扉形前面部材２００が外本体１００の前面に被さる閉じ位置にあるときその突端がメダル放出装置１１０のホッパ１１０ｂ内に臨むようになっており、投入口２０３からメダルセレクタ２０７を通ってメダル樋２１２に流れたメダルはホッパ１１０ｂに行き着く。
一方、前記返却樋２１３は表側のメダル用受皿２０１に繋がっており、投入口２０３からメダルセレクタ２０７を通って返却樋２１３に流れたメダルはメダル用受皿２０１に戻る。
【００３７】
［扉形前面部材−透視窓］
扉形前面部材２００は、外本体１００の前面全体をカバーする大きさであって、その上半部は、図３２，図３３に示したように、透明板２１４ａで覆ったゲーム用の透視窓２１４になっている。実施形態の透視窓２１４並びに透明板２１４ａは、前記画像表示体５００と図柄変動表示装置３００が上下に並んで見えるよう通常より大きくなっており、扉形前面部材２００と一体の額フレーム２１６によって画像表示体５００と図柄変動表示装置３００の領域が視覚上、上下に区画されている。このように一枚の透明板２１４ａを、画像表示体５００と図柄変動表示装置３００の双方をカバーする大きさに設定しておけば、画像表示体５００と図柄変動表示装置３００の配置が上下入れ替わっても、そのまま使用することができる。
【００３８】
［扉形前面部材−透視窓−透明板］
透明板２１４ａは、透明な合成樹脂（例えば耐衝撃性、耐擦傷性、光学特性に優れたゴム入りのメタクリル樹脂、実施形態では三菱レイヨン株式会社製「アクリペット（登録商標）ＩＲ  Ｄ３０」を使用）をほぼ逆さ台形にした上広がりの形態であって、底辺を除く三辺（左右側辺と上辺）の周縁に、遊技者と向かい合う側を前面としてその前面側に膨出する縁部材２１４ｂ，２１４ｂ，２１４ｂを、樹脂成型用型枠を用いての樹脂成型時に一体成型してなる。このように平らな板状の透明板２１４ａの周縁に縁部材２１４ｂを一体に成型した場合には、縁部材２１４ｂが補強バーになって透明板２１４ａ全体の強度を高めるため、透明板２１４ａが上記のように画像表示体５００と図柄変動表示装置３００の双方をカバーする程度に大きくても撓みや歪みが生じにくい。
【００３９】
前記縁部材２１４ｂは、図３４に示したように、後面側に開口する殻構造（中実でなく、内部に空間がある殻のような構造であり、各部の肉厚は任意である。）になっており、その内部空間に発光ユニット２１７と、必要に応じて例えば表面に模様や文字を施した装飾部材（図示せず）が組み込まれる。
なお、図３３では、発光ユニット２１７が扉形前面部材２００に取り付けられているように描かれているが、実際の発光ユニット２１７は、図３４に示したように縁部材２１４ｂの中に嵌め込まれている。従って、透明板２１４ａと発光ユニット２１７は、一体の部品として取り扱われる。
縁部材２１４ｂの形状は図示したものに限定されず、発光ユニット２１７や装飾部材のデザインに合わせて任意に変更可能である。また、縁部材２１４ｂを設ける部位も実施形態のように透明板２１４ａの周縁の三辺に限定されず、最低限、何れかの一辺に設けるだけでもよい。
【００４０】
その他、図３２，図３３において符号２１８は、透明板２１４ａの上の左右コーナー部分に設けた固定部材であって、透明板２１４ａの裏側から透孔２１４ｃ（図３２拡大図参照）に通したビス（図示せず）により、縁部材２１４ｂと縁部材２１４ｂの間に嵌った図３３の状態で止められている。該固定部材２１８は、外見上コーナー飾りとしての役割を果たす一方、扉形前面部材２００と透明板２１４ａの夫々の上のコーナー部分に設けた通孔２００ａ，２１４ｄ（図３２拡大図参照）に対し扉形前面部材２００の裏側から通したビス（図示せず）に螺合し、もって透明板２１４ａを扉形前面部材２００に固定するナット的な役割を果たす。
【００４１】
また、図３２〜図３４において、符号２１７ａは発光ユニット２１７の発光体、２１７ｂは発光体２１７ａを支持する反射部材である。
左右に位置する発光ユニット２１７の反射部材２１７ｂは、図３４に示したように、棒状の発光体２１７ａの光をスロットマシン１の周囲に向けて多く反射するように角度が設定されている。なお、透明板２１４ａの縁部材２１４ｂの内部に発光ユニット２１７を組み込んだ形態は、発光体２１７ａをスロットマシン１の、より手前側に配置することができるから、あたかも岬の突端にある灯台のごとく、光を周囲に向けて放射させる場合に有利である。
また、上に位置する発光ユニット２１７の反射部材２１７ｂは、発光体２１７ａ（光源２１７ａ−１と導光板２１７ａ−２の組合せ）の光をスロットマシン１の上方に向けて多く反射するように設定されている。
【００４２】
以上の構成である発光ユニット２１７は、遊技中、特に大当たりが出た場合などに点灯して大当たりの発生を周囲にアピールする演出を行うことができる。このように周囲に対しアピール度の高い演出を行うことによって、大当りを得た遊技者に注目させることができ、多くの者の視線が遊技者に優越感を抱かせるから、遊技がさらに盛り上がる。また、大当たりが出ていることを周囲にアピールすることにより、その機種の人気が高まり、稼働率が向上することも期待される。
【００４３】
実施形態の透明板２１４ａは以上のような構成であって、扉形前面部材２００の裏側に設けた凹溝２１９（図３３拡大図参照）に対し、板状の底辺を扉形前面部材２００の前面から斜めに差し入れて建具式に嵌め込み、その状態で透明板２１４ａを直立させて扉形前面部材２００の前面に全ての縁部材２１４ｂ，２１４ｂ，２１４ｂを当接させ、さらに扉形前面部材２００の裏から通したビス６０３（図１参照）によって固定する。図３４は、このときの扉形前面部材２００の要部を切断したものであり、この図３４から明らかなように、もし仮に、遊技者が扉形前面部材２００と縁部材２１４ｂの境から異物を無理矢理差し込んだとしても、その異物の先が縁部材２１４ｂの内部を横断して透明板２１４ａの裏側に到達する余地は殆どない。従って、優れた防犯効果を発揮する。
【００４４】
［扉形前面部材−錠装置］
扉形前面部材２００の自由端側の一側には専用キー（図示せず）を使って開閉操作する錠装置２１５が設けてある。
【００４５】
［図柄変動表示装置］
図柄変動表示装置３００はリール回転式表示装置であって、モータ等の駆動手段３０３で個別に回転可能な例えば３個のリール３０１ａ，３０１ｂ，３０１ｃと、該リール３０１ａ，３０１ｂ，３０１ｃを組込み・収容する装置ケース３０２とを有し、リール３０１ａ，３０１ｂ，３０１ｃの周面に描いた複数の図柄（図示せず）の組合せで遊技を行う周知のものである。
【００４６】
前記装置ケース３０２は、あたかも横倒しにした八角柱から正面（遊技者）に向かう３面を除いた変形六角柱形態であって、底部板３０４と、天部板３０５と、図１１において向かって右側の右側板３０６と、同じく左側の左側板３０７と、後面を覆う垂直な後部板３０８と、天部板３０５と後部板３０８の間に設けた上斜板３０９と、底部板３０４と後部板３０８の間に設けた下斜板３１０で囲った箱形であり、前記リール３０１ａ，３０１ｂ，３０１ｃの円弧の一部が装置ケース３０２の正面からはみ出す状態になっている。
【００４７】
また、装置ケース３０２の天部板３０５には指掛可能な使用状態と、天部板３０５に伏した不使用状態とに変化可能な把手３１１が設けられており、該把手３１１に指を掛けて持ち運ぶようになっている。
このように装置ケース３０２の天部板３０５に上記のごとく変化可能な把手３１１を設ける構成は、ケース部材４００の強度アップ策と密接に関連する。
すなわち、実施形態では後述するようにケース部材４００の開口部４０１に補強桟４０２を設け、もってケース部材４００の開口部４０１に画像表示体５００を片持ちさせるに十分な強度を付与しているが、そのような補強桟４０２は開口部４０１を横切るから装置ケース３０２のケース部材４００への出し入れに対し、明らかに障害となる。これに対し実施形態のように把手３１１を変化可能にして天部板３０５に伏させておけば、把手３１１の出っ張りがなくなるから、装置ケース３０２が補強桟４０２の下を難なく通過できるのである。従って、装置ケース３０２の天部板３０５に上記のように変化可能な把手３１１を設けてこそ、ケース部材４００の開口部４０１に該開口部４０１を横切る向きの補強桟４０２を設けることが可能になる。
ちなみに、従来の装置ケースは、天部板から把手が出っ張ていてそれが障害になるため、ケース部材の開口部に補強桟を設ける余地がない。
【００４８】
なお、実施形態の把手３１１は、立てた使用状態と伏した不使用状態とに揺動して変化させる構造としたが、把手３１１を使用状態と不使用状態とに変化させ得る構造は、実施形態に限定されない。例えば図２１に示したように、天部板３０５に２つのベルト通し３１４，３１４を切り起こし、該ベルト通し３１４，３１４に例えば合成樹脂や革製であって両端に抜け止め部３１５，３１５を設けてなる帯状の把手３１１を挿通し、図２１の伏した不使用状態から中央を引き上げて指掛可能な使用状態に変化させる構造にするなど、指掛可能な使用状態と、天板部３０５に伏した不使用状態とに変化可能であれば、どのような構造であってもよい。
また、実施形態の装置ケース３０２の底部板３０４には図４，図１１に示したようにフランジ状の下把手３１６が突設されており、該下把手３１６をつかんで装置ケース３０２を押し込み又は引っ張ることにより、ケース部材４００への出し入れが行い易くなっている。
【００４９】
［ケース部材］
ケース部材４００は、前記外本体１００の仕切板１０５から上のスペースにほぼ合致する大きさであって、底板４０３と、該底板４０３の左右両横に立設した側板４０４，４０４と、底板４０３の後縁に立設した後面板４０５と、該後面板４０５と前記側板４０４，４０４の上面を覆う天板４０６とからなり、前面に開口部４０１を有する箱形である。
【００５０】
該ケース部材４００は、底板４０３が金属製で、側板４０４，４０４、後面板４０５、天板４０６が合成樹脂製であり、側板４０４，４０４と天板４０６の開口部４０１内面に金属製の補強部材４０７，４０７，４０７が設けられ、さらに側板４０４，４０４の補強部材４０７，４０７の間に開口部４０１を横切る金属製の補強桟４０２が掛け渡されている。
そして、この補強桟４０２を境にそれより下が前記図柄変動表示装置３００の設置領域として、また、補強桟４０２より上の開口部４０１が前記画像表示体５００の設置領域として、さらにまた、画像表示体５００より後方のケース部材４００で囲われた領域が配線作業空間４０８として割り当てられ、その配線作業空間４０８の後面板４０５の内壁面に、主たる制御基板である主制御基板４０９が装着され、さらに主制御基板４０９以外の制御基板等（例えばサブ基板）も配線作業空間４０８内に装着されている。
【００５１】
ケース部材４００の天板４０６には、図１に示したように天窓部４４３，４４３が形成されている。この天窓部４４３，４４３は、天板４０６の強度を保つための補強帯４４４を挟んで２つに分けられており、その夫々が前記外本体１００の貫通孔１３２，１３２…を通る軸線との交点を含む領域にあり、該貫通孔１３２，１３２…より十分に広く開口している。もっとも天窓部４４３の前側の周縁は前側に位置する貫通孔１３２の近くに寄せられている。そうすることにより天窓部４４３の周縁を基準として手探りで貫通孔１３２が見つけ出せるから、たとえ天窓部４４３の中を作業者が覗き込めなくとも貫通孔１３２の位置が素早く簡単に割り出せる。
【００５２】
ケース部材４００の後面板４０５の外面には図２，図５，図６，図１２に示したように複数のボス４１０，４１０が突設されており、該ボス４１０を外本体１００の背板１０４にプレ加工したボス孔１１４，１１４に嵌めて位置決めされる。なお、このボス４１０，４１０は、図２，図５に示したように後述する配線窓４１１近くに設けられており、一方、外本体１００側のボス孔１１４，１１４は前記配線中継部材１１３近くに設けられており、これによりケース部材４００の配線窓４１１と背板１０４の配線中継部材１１３の位置決めが正確になる。
【００５３】
一方、ケース部材４００の底板４０３の底面には、図２に示したように凹段部４１２が形成されており、該凹段部４１２が前記仕切板１０５の突段部１０６に嵌まり合う。凹段部４１２の後面板４０５側の端部には後方に向かって拡大する向きのテーパ部４１３が設けてあり、該テーパ部４１３に案内され仕切板１０５の突段部１０６とケース部材４００の凹段部４１２との嵌め合わせが円滑に行える。このようにケース部材４００の凹段部４１２と仕切板１０５の突段部１０６の嵌め合いによってケース部材４００が仕切板１０５の奥に真っ直ぐに案内されるが、例えば図１９に示したように仕切板１０５に凹溝形態のレール部材１１５を敷設又は一体にプレス成形し、一方、ケース部材４００の底板４０３に車輪４１４を設置し、該車輪４１４をレール部材１１５の溝内で転がらせるようにしてもよい。或は、図２０に示したように仕切板１０５に凸形態のレール部材１１６を敷設又は一体にプレス成形し、一方、ケース部材４００の前記車輪４１４の両端に鍔４１５，４１５を形成し、該車輪４１４の鍔４１５，４１５でレール部材１１６を挟ませるようにしてもよい。
【００５４】
また、ケース部材４００は、仕切板１０５上の所定の位置にセットした状態で、図１，図２，図１７，図２２に示した揺動レバー形態のストッパー１１７，１１７，１１７で止められている。このストッパー１１７は、図１，図２に示したように仕切板１０５の前端部と、天板１０３に垂設した２つの取付具１１８，１１８とに軸着されており、図１７実線のようにケース部材４００の一部に係合する作動姿勢と、図１７想像線のようにケース部材４００に係合しない非作動姿勢とを手動で切り替えてケース部材４００の仕切板１０５上における前方向の動きを規制する。
なお、ストッパー１１７を図１８に示したように鍵形にしてケース部材４００に設けた引掛部４１６に係合させるようにすれば、ケース部材４００の仕切板１０５上における上方向の動きも規制することができる。
また、天板１０３の取付具１１８に軸着したストッパー１１７は、図２２に示したようにケース部材４００の側板４０４と天板４０６のコーナー部に貫設した係止孔４４２に臨む位置にあり、ケース部材４００を所定の位置に押し込んだ状態でケース部材４００の内側から作動姿勢と非作動姿勢の切り替えが行えるようになっている。
【００５５】
また、ケース部材４００の後面板４０５には外本体１００の背板１０４側に貫通する長孔形態の配線窓４１１が開設されている。該配線窓４１１は、図４，図５，図２３に示したようにケース部材４００に設置した図柄変動表示装置３００の装置ケース３０２の上斜板３０９に対応し且つ前記主制御基板４０９の下側の位置にあり、上斜板３０９の上にある横長の空きスペース４１７（或は上斜板３０９と主制御基板４０９の間に形成される横長の三角スペース４１７と観念してもよい。）と背板１０４を結ぶ開口として機能する。
【００５６】
また、ケース部材４００には図５，図１２に示したように空きスペース４１７の高さのほぼ中間位置に棚板状の仮止め部材４１８（以下「仮止め棚」ともいう。）が設けられており、また、後面板４０５の外側であって配線窓４１１の両横にケース部材４００の左右側面に抜ける配線通路たる凹み４１９，４１９が形成されている。
【００５７】
なお、前記配線窓４１１の配置を、図柄変動表示装置３００のリール３０１ａ，３０１ｂ，３０１ｃを基準に特定するならば、配線窓４１１は、図２３に示したように図柄変動表示装置３００のリール３０１ａ，３０１ｂ，３０１ｃの回転中心を通る水平面ＨＬと、リール３０１ａ，３０１ｂ，３０１ｃの最高高さ位置を通る水平面ＨＨとの間の範囲を下限とする状態、つまりその範囲内に下辺を置く高さに配置したものである、と言い換えることもできる。
【００５８】
［画像表示体］
画像表示体５００は、例えば、少なくとも液晶ディスプレイ（他にもプラズマディスプレイや有機ＥＬディスプレイ等でもよい。）で構成される画像表示可能なパネル形のユニットであり、図１１においてケース部材４００の左側の側板４０４に設けた補強部材４０７にヒンジ金具４２０を取り付けて（取付位置は図１１斜線部参照）、該ヒンジ金具４２０により回動自在に支持されている。
【００５９】
［画像表示体−ヒンジ金具］
図３５は、ヒンジ金具４２０の分解・組み立て斜視図である。なお、ヒンジ金具４２０は、上下が対称な構造であるため、主として上部について説明する。
ヒンジ金具４２０は、前記ケース部材４００の補強部材４０７に取り付く固定部材４２０ａと、前記画像表示体５００の裏側（図３５の破線領域５００ｓ参照）に取り付く回動部材４２０ｂと、該回動部材４２０ｂと固定部材４２０ａを連結する短リンク４２０ｃ及び長リンク４２０ｄで構成される。
【００６０】
ヒンジ金具４２０の固定部材４２０ａは、棚板形態である横向きの固定片４２０ｅを有し、該固定片４２０ｅの上面に長リンク４２０ｄの一端をピンＰ１で、また、固定片４２０ｅの下面に短リンク４２０ｃの一端をピンＰ２で回動自在に軸着する。
一方、ヒンジ金具４２０の回動部材４２０ｂは、棚板形態である横向きの軸承片４２０ｆを有し、該軸承片４２０ｆの上面に長リンク４２０ｄの一端をピンＰ３で、また、軸承片４２０ｆの下面に短リンク４２０ｃの一端をピンＰ４で回動自在に軸着する。
こうして固定片４２０ｅと軸承片４２０ｆと長リンク４２０ｄと短リンク４２０ｃ及びピンＰ１〜Ｐ４は、図３６の線図に示したように四節回転連鎖を構成し、その連鎖の中でも特に、最短リンクである軸承片４２０ｆに向かい合う固定片４２０ｅを固定リンクとする、いわゆる両てこ機構を構成する。この両てこ機構は、図３６（ａ）〜（ｃ）に示したように、画像表示体５００の回動軌道を、扉形前面部材２００の回転軸１００ａを中心とする回動軌道に近似させるべく、それぞれのピン位置が設定されている。
【００６１】
なお、長リンク４２０ｄと短リンク４２０ｃは、画像表示体５００がほぼ９０度回動した（開いた）状態で上下に重なり合うように重合領域４２０ｇ，４２０ｈが設定されており（例えば長リンク４２０ｄの重合領域４２０ｇを三角形に膨出させて短リンク４２０ｃの重合領域４２０ｈに重なるようにする。）、その重合領域４２０ｇ，４２０ｈの夫々にピン孔４２０ｉ，４２０ｊが形成されている。このピン孔４２０ｉ，４２０ｊは、両者を同軸上に揃えて棒状の止めピン（図示せず）を差し込むことにより長リンク４２０ｄと短リンク４２０ｃを連結し、もって両てこ機構をロックして画像表示体５００を開いた位置に固定するためのものである。
【００６２】
［画像表示体−ロック片］
図１１，図１２に示したように、ケース部材４００の縦の補強部材４０７のうち前記ヒンジ金具４２０を設けた補強部材４０７の反対側の補強部材４０７（図１１において向かって右側）にはロック片４２１が軸着されており、該ロック片４２１を図１１の状態から時計回りに回動させるとその先端が画像表示体５００の裏側に突設した受部５０８に係合し、この状態で画像表示体５００がケース部材４００の開口部４０１の上部を閉じた位置にロックされる。一方、前記ロック片４２１をロック状態から逆向きに回動させると画像表示体５００のロックが解除され、ヒンジ金具４２０を中心に回動自在になる。通常、ケース部材４００を外本体１００に装着する前の状態では画像表示体５００を閉じ位置にロックして無用な回動を防止し、一方、ケース部材４００を外本体１００に装着した状態では画像表示体５００のロックを解除して回動自在とする。そうすることにより扉形前面部材２００を開いて直ぐに画像表示体５００を開けばその奥の配線作業空間４０８内のチェックが行える。
【００６３】
［画像表示体−連結具］
なお、実施形態のスロットマシン１は、画像表示体５００の奥の配線作業空間４０８内のチェックを効率よく行う手段として、扉形前面部材２００と画像表示体５００を適宜な連結具７００で連結し、扉形前面部材２００の開閉に連動して画像表示体５００も一緒に開閉させるようにしてある。この場合、前記のように実施形態の扉形前面部材２００と画像表示体５００は、ヒンジ金具４２０の両てこ機構によって、画像表示体５００の回動軌跡が扉形前面部材２００の回転軸１００ａを回転中心とする回動軌跡に近似するようになっているものの、それでもなお両者の動きには相対的なずれが生じる。そのため実施形態の連結具７００は、図３９に示したように、画像表示体５００の自由端側の裏面に固定鞘部材７０１を形成し、該固定鞘部材７０１の内部に摺動自在な状態にロッド７０２を納め、そのロッド７０２の先端を扉形前面部材２００の裏面（具体的には錠装置２１５のベース部材２１５ａ）に対し、止め軸７０３で回転可能な状態に連結してある。こうすることにより、図３８のように、扉形前面部材２００の開閉に連動して画像表示体５００が扉形前面部材２００の付属部品であるかのごとく一緒に開閉し、その際生じる両者の動きの相対的なずれを連結具７００のロッド７０２が固定鞘部材７０１に出入りして吸収する。
【００６４】
なお、前記止め軸７０３は、錠装置２１５のベース部材２１５ａの一部を曲げて形成した支持片２１５ｂ，２１５ｂ，２１５ｂに対し、上下動自在に装着されており、スプリング７０３ａにより常時下向きに付勢されている。よって、この止め軸７０３は、スプリング７０３ａの付勢に抗して上動させることが可能であり、上動させて下端を浮かせることによって前記連結具７００のロッド７０２の着脱が可能である。
また、図３９において、符号７０４は連結具７００の固定鞘部材７０１の上面に設けた弾性的な片持ち梁式のストッパであって、前記止め軸７０３から外したロッド７０２を固定鞘部材７０１の内部に納めて保持するためのものであり、ロッド７０２の上面に形成した溝７０５の端部に係合してロッド７０２の盲動を防止する。ロッド７０２には、その側面に摺動方向と直交する方向に摘み片７０６が突設されており、該摘み片７０６を摘んでロッド７０２を強制的に移動させることにより前記ストッパ７０４のロックが外れるようになっている。
また、図３９において、連結具７００の近傍にある符号５０９は、画像表示体５００の自由端側の裏面に突設した係合部である。該係合部５０９は、ケース部材４００の開口部４０１を横切る補強桟４０２に係合して、閉じ位置にある画像表示体５００の自由端側の荷重を支えるものである。なお、図１１に示したように、補強桟４０２には、前記係合部５０９を補強桟４０２の上面に円滑に導くべく、画像表示体５００に向かって下り傾斜する滑り台式の案内部４０２ａが設けてある。また、画像表示体５００の係合部５０９は、画像表示体５００とは別の潤滑性に優れた合成樹脂で形成されており、画像表示体５００に対し着脱自在（交換自在）に装着されている。
【００６５】
ところで、扉形前面部材２００と画像表示体５００の回動軌跡の相違に起因する動きの相対的なずれは、上記のような伸縮自在なロッド形式の連結具７００の他、柔軟なワイヤーにしても吸収することができる。但し、連結具が柔軟なワイヤー等であると、扉形前面部材２００を閉じる段階で扉形前面部材２００が開いたまま停止している画像表示体５００にぶつかることになって、円滑さを損なうおそれがある。これに対し、例えば画像表示体５００に巻バネなどの付勢手段を設けて常時閉じ方向に付勢するようにすればよい。そうすることにより扉形前面部材２００の閉じ動作に際し、画像表示体５００が前記付勢力の作用で連結具を引っ張りつつ自力で閉じるから、扉形前面部材２００と画像表示体５００がぶつからない。
もちろん扉形前面部材２００と画像表示体５００の連れ回りのための手段は上記に限定されない。例えば、上記において連れ回りのための一要素たるヒンジ金具４２０は、上記のような両てこ機構の構造に限定されず、図４０，図４１に示したような、単独のピン４２０ｋを中心にして画像表示体５００を回動させる単純なものであってもよい。
【００６６】
ケース部材４００に対する画像表示体５００の取着手段をヒンジ構造にして該画像表示体５００を扉状に回動させ得る構成に、上記のように画像表示体５００を閉じ位置にロックするロック手段（上記のロック片４２１）を付加した場合には、ケース部材４００を外本体１００に装着した状態で原則ロックを継続させ、配線作業空間４０８内のチェック等、必要な時にのみロックを解除する、という取り扱いを選択することも可能であり、その場合には画像表示体５００によって配線作業空間４０８内の重要部品（例えば主制御基板４０９）がブロックできるから、防犯性能の向上に効果がある。
【００６７】
ケース部材４００の開口部４０１上縁と閉じた画像表示体５００の上縁との前後間には隙間１０が設けられており、該隙間１０に通した指で天板４０６の前記補強部材４０７が掴めるようになっている。また、ケース部材４００の天板４０６の前方中央部分（天窓部４４３，４４３の間の補強帯４４４）には把手口４２２が形成されており、該把手口４２２に通した指で天板４０６の補強部材４０７が掴めるようになっている。従ってケース部材４００は、取り扱う場所や姿勢に応じて該把手口４２２と前記隙間１０との適宜な使い分けが可能である。例えば、ケース部材４００を外本体１００に組み込む前の搬送時には把手口４２２を使って鞄形態に持ち運ぶ方がバランスがよく、一方、ケース部材４００を外本体１００に装着した状態では、図４に示したように把手口４２２が外本体１００の奥に隠れて指が入らないため、前記隙間１０から補強部材４０７に指を掛けてケース部材４００を引っ張り出す、という具合である。なお、ケース部材４００の底板４０３の正面中央には前記した装置ケース３０２の下把手３１６（図４，図１１参照）が突出しており、該下把手３１６を持って押し込み又は引っ張ることで外本体１００へのケース部材４００の出し入れが容易に行える。この場合の下把手３１６は、装置ケース３０２がケース部材４００にビスで固着されていることよりケース部材４００と一体であり、従ってケース部材４００の床板４０３の正面に下把手３１６が突設されているに等しい。
【００６８】
［画像表示体−枠部材］
画像表示体５００は、ケース部材４００の開口部４０１の前記補強桟４０２から上の領域のほぼ全部を覆う大きさである。また、画像表示体５００の下側には、ケース部材４００の開口部４０１の前記補強桟４０２から下の領域、つまり図柄変動表示装置３００の前方領域を額縁状に囲う枠部材５０１が一体に垂設されており、該枠部材５０１により前記図柄変動表示装置３００のリール３０１ａ，３０１ｂ，３０１ｃが縁取られる。この枠部材５０１の表面は装飾面になっており、適宜な模様等が描かれている。
【００６９】
［画像表示体−枠部材−照明装置］
前記枠部材５０１の裏側上下には照明装置５０２が設けられており、該照明装置５０２によって図柄変動表示装置３００の図柄が明るく照らされる。枠部材５０１は画像表示体５００の下に垂設されていて図柄変動表示装置３００に近いから、そのような枠部材５０１に照明装置５０２を組み込むことで光源を図柄変動表示装置３００に近づけることができる。従って枠部材５０１に照明装置５０２を組み込む手段は、従来の照明装置に比べて低光量でも十分な明るさが確保できる、という特徴がある。
【００７０】
実施形態として例示した照明装置５０２は、図４に示したように、図の紙面と直交する方向（スロットマシン１の幅方向であってリール３０１ａ…の回転軸と同方向）に細長い帯状の基板５０３に多数の発光ダイオード（以下ＬＥＤという。）５０４を並べたものであり、下側の照明装置５０２は、上面を例えば乳白色の透光性蓋板５０５で塞いだチューブ枠５０６の中にＬＥＤ５０４を上向きにして配置し、一方、上側の照明装置５０２は、断面上向きコ字状の例えば乳白色である透光性カバー５０７内にＬＥＤ５０４を下向きにして配置してなる。
【００７１】
なお、上側の照明装置５０２は、照明方向を図４に示したように真下より遊技者側、すなわち透明板２１４ａ側に向かう斜め下向きに設置してある。実施形態では比較的強い指向性を持ったＬＥＤ５０４の主たる照射領域の中心線Ｌ（図４拡大図参照）を透明板２１４ａに対し斜めに向かわせるべく、基板５０３のＬＥＤ取付面の向きが、前記透明板２１４ａ側に向けて斜め下向きに傾けられている。
また、もし照明装置５０２の光源として蛍光灯のような棒状発光体を採用した場合には、図４の基板５０３を板状又は光源を包むような凹面状の反射部材に変更し、直射光と反射光の総和により方向付けられる主たる照射領域の中心線が、透明板２１４ａ側の裏面に斜めに当たるように設定すればよい。
以上のように照明装置５０２の照射照準を透明板２１４ａに設定すれば、漏れた一部の光がリール３０１ａ，３０１ｂ，３０１ｃの外周面を照らしても殆ど影響はない。
【００７２】
実験によれば、照明装置５０２の照明方向をリール３０１ａ，３０１ｂ，３０１ｃの周面側に向けた場合には、湾曲するリール３０１ａ，３０１ｂ，３０１ｃの特定部分が強く反射して見辛くなるのに対し、上記のように主たる照射領域の中心線Ｌを透明板２１４ａに対し斜めに向かわせた場合には、透明板２１４ａを介してリール外周面が照らされることにより、リール３０１ａ，３０１ｂ，３０１ｃの広い範囲が明るく見え易くなることが確認できた。その理由として、照明装置５０２から照射した光が扉形前面部材２００の透視窓２１４に嵌めた透明板２１４ａに当たって反射し全体に拡散するか、或は透明板２１４ａが明るく照らされることでリール３０１ａ，３０１ｂ，３０１ｃの広い範囲が明るく見えるか、或はそれらの相乗作用によるものと推測される。
【００７３】
以上のような上側の照明装置５０２の構造は、下側の照明装置５０２にも採用することができ、もちろん図３１に示したように下側の照明装置５０２にのみ採用することもできる。なお、図３１は図４の上側の照明装置５０２を下側に配置し、下側の照明装置５０２を上側に配置したものであるため、上記照明装置５０２の説明の「上」を「下」に読み替え、「下」を「上」に読み替えればよい。
【００７４】
ところで照明装置５０２の光源として実施形態のようにＬＥＤを採用した場合には、（ａ）低電圧で駆動するため約２００Ｖの高電圧で駆動する従来の冷陰極管より安全性が高い、（ｂ）冷陰極管より寿命が長い、（ｃ）ガラス管である冷陰極管より丈夫である、（ｄ）多色発光が可能であるため演出の幅を広げることができる、（ｅ）インバータと組み合わせて使用する冷陰極管より軽く、従って画像表示体５００を支えるヒンジ金具４２０の負担が少ない、というメリットがある。
【００７５】
［配線手段］
前記外本体１００に取り付けられている例えばメダル放出装置１１０や電源装置１１２及び扉形前面部材２００の操作部２０２にある例えば各投入ボタン２０５，２０６や始動レバー２１０（以下、これらの総称として単に「本体側電気部品」という場合もある。）と、ケース部材４００にある例えば主制御基板４０９等（ケース部材側の電気部品の総称として単に「ケース部材側電気部品」という場合もある。）とは電気的に接続されている。そして、実施形態のスロットマシン１は、遊技ユニット（ケース部材４００）が外本体１００に対し着脱自在であるため、遊技ユニット（ケース部材４００）の交換等に際して本体側電気部品とケース部材側電気部品とを簡単に接続又は切り離すための合理的な配線手段が設けられている。
【００７６】
［配線手段−配線中継部材］
前記のように外本体１００の背板１０４の内面上部には、図１４に示した配線中継部材１１３が取り付けられている。該配線中継部材１１３は図４，図５に示したように、前記ケース部材４００の配線窓４１１に対応する位置にあって該配線窓４１１からケース部材４００の空きスペース４１７に臨むようになっている。配線中継部材１１３は、前記本体側電気部品につながる本体側配線類１１９と、前記ケース部材側電気部品につながるケース側配線類４２３とを中継するものであって、外本体１００の背板１０４にビス止めされる取付板１２０と、該取付板１２０の前面に被さるカバー体１２１と、該カバー体１２１と前記取付板１２０の間に納められる複数（実施形態では大小２枚）のコネクタ基板（以下「コネクタ接続用端子基板」という場合もある。）１２２，１２３とからなる。
【００７７】
前記２枚のコネクタ基板１２２，１２３のうち、図１４，図１５において左側に位置する大きい方のコネクタ基板１２２は取付板１２０に対して固定的に取り付けられており、前記主制御基板４０９につながっているハーネス４２４の先端のコネクタ４２５と対をなすコネクタ１２４が設けられている。
【００７８】
一方、図１４，図１５において右側に位置する小さい方のコネクタ基板１２３は、取付板１２０とカバー体１２１の間の隙間に非固定的な遊動可能状態に取り付けられており、従って図１５拡大図に示したように上下方向に移動可能であり、また、左右方向にも移動し得る。この小さいコネクタ基板１２３には、主制御基板４０９以外のケース部材側電気部品につながっているハーネス４２６の先端のコネクタ４２７と対をなすコネクタ１２５が設けられている。なお、該コネクタ１２５と前記コネクタ１２４は、プリント基板にハンダ付け等の固着手段で固着する基板固着型であり、安価なＤＩＮ規格のものが使われている。
【００７９】
また、取付板１２０の前面に被さるカバー体１２１は、前記コネクタ１２４，１２５が通る大小２つの開口１２６，１２７と、該開口１２６，１２７と横並びの位置に突設した支持筒１２８と、下半部前方に張り出すトンネル状の配線ダクト１２９と、を有する。
【００８０】
配線中継部材１１３に接続する本体側配線類１１９は、前記配線ダクト１２９の内部を通るか、または配線中継部材１１３の取付板１２０の下側前面に突設したフック形状の配線止め１３０に束ねられた状態で、図１一点鎖線Ｌに示したように外本体１００の側板１０２，１０２側に振り分けられ、該側板１０２，１０２と背板１０４のコーナー付近でほぼ垂直に向きを変え、その多くは仕切板１０５の奥に設けた配線用の開口１０９を通って本体側電気部品に夫々接続される。もちろん仕切板１０５より上の領域に本体側電気部品（例えば図１において側板１０２の内面に設けた外部中継端子板１３１）がある場合には、仕切板１０５の配線用の開口１０９とは無関係にそのまま接続される。
【００８１】
ここまでで説明した配線手段から、次のような技術的思想が把握できる。
（ａ）ケース部材４００の後面板４０５に、図柄変動表示装置３００のリール３０１ａ，３０１ｂ，３０１ｃの回転中心を通る水平面とリール３０１ａ，３０１ｂ，３０１ｃの最高高さ位置を通る水平面との間に自己の下辺が位置する高さにして配線窓４１１を形成する。
（ｂ）外本体１００の背板１０４に、本体側電気部品につながる本体側配線類１１９と、ケース部材側電気部品につながるケース側配線類４２３とを中継する配線中継部材１１３を設置する。
（ｃ）外本体１００の側板１０２，１０２の内面沿いに配線を通す上下方向の配線経路を形成する。
（ｄ）配線中継部材１１３につながる本体側配線類１１９をケース部材４００の側方に導き、そこから前記配線経路を通って本体側電気部品に接続する。
【００８２】
以上（ａ）〜（ｄ）の構成要素を備えた遊技機は、図柄変動表示装置３００のリール３０１ａ，３０１ｂ，３０１ｃの後ろを本体側配線類１１９が通らず、外本体１００の側板１０２，１０２沿い（背板１０４とのコーナーを含む（図１０参照）。）に設けた配線経路を迂回するため、リール３０１ａ，３０１ｂ，３０１ｃを外本体１００の背板１０４近くにまで寄せることが可能になり、従来の構成、すなわち、本体側配線類１１９が背板１０４のほぼ中央を下ってリール３０１ａ，３０１ｂ，３０１ｃの後ろを通っていた従来の構成に比べて、リール３０１ａ，３０１ｂ，３０１ｃの径を大きくすることができる。なお、リール３０１ａ，３０１ｂ，３０１ｃの径は大きい方が、回転時の迫力が増す。
【００８３】
［配線手段−コネクタ４２５，４２７］
上記のように配線中継部材１１３に設けられている２つのコネクタ１２４，１２５には、ケース部材４００の主制御基板４０９につながっているハーネス４２４の先のコネクタ４２５と、主制御基板４０９以外のケース部材側電気部品につながっているハーネス４２６の先のコネクタ４２７がそれぞれ接続されている。
この２つのコネクタ４２５，４２７は、図１６−１に示したように１つのコネクタホルダー４２８に一体に取り付けられている。該コネクタホルダー４２８は、コネクタ４２５，４２７がビス止めされるホルダー主体４２９と、ほぼ中央に透孔４３０を有し前記ホルダー主体４２９の両横に突設した板状の取着片４３１と、該取着片４３１の透孔４３０に装着した周知のボタン形パネルファスナー４３２（商品名「ナイラッチ」：登録商標）と、からなり、図５，図８（ａ）に示したように配線中継部材１１３の前記支持筒１２８の先に取着片４３１を当て、該取着片４３１のボタン形パネルファスナー４３２を支持筒１２８に差し込んでロックしてある。従ってコネクタホルダー４２８が固定手段たる支持筒１２８に固定され、ひいては配線中継部材１１３に固定されるため、コネクタ４２５，４２７とコネクタ１２４，１２５の結合が外れない。
【００８４】
［配線中継基板−コネクタ４２５，４２７−仮止め棚］
上記のようにコネクタ４２５，４２７は配線中継部材１１３のコネクタ１２４，１２５に接続されているが、ケース部材４００が外本体１００に組み込まれる前、つまり工場出荷から設置完了までの間、コネクタ４２５，４２７は、ケース部材４００に設けた仮止め棚４１８に仮止めされている。
【００８５】
前記仮止め棚４１８は、図５，図６，図１２，図１３に示したようにケース部材４００の内側から前記配線窓４１１に向かわせた棚板状の部材であり、図６に示したようにコネクタホルダー４２８を載置するほぼ水平なベンチ部４３３と、そのベンチ部４３３の両端に立設したベンチ側板４３４と、各ベンチ側板４３４に突設した３本の内向き爪片４３５，４３５，４３５とを有する。この内向き爪片４３５，４３５，４３５の中央の１本と他の上下の２本との間にはコネクタホルダー４２８の取着片４３１が嵌まり得る間隔が設けてある。
なお、一方のベンチ側板４３４は、先端に指掛部４３６を延設した薄板構造であって、指掛部４３６に指を掛け図８（ｂ）矢示Ｘ方向に力を加えることにより一端支持の板バネのごとく外向きに反らせ得るようになっており、その反らせた状態で内向き爪片４３５，４３５，４３５からコネクタホルダー４２８の取着片４３１が簡単に外れるようになっている。図８（ａ）の想像線は指掛部４３６の先を鍵形に折り曲げた例を示したものであり、こうすることにより矢示Ｙのようにボタンを押す感覚でコネクタホルダー４２８の取外しが楽に行える。
【００８６】
しかして、図６に示したように前記仮止め棚４１８のベンチ部４３３にコネクタホルダー４２８を載置し、該コネクタホルダー４２８の取着片４３１をベンチ側板４３４の内向き爪片４３５，４３５，４３５の間に嵌めることによってコネクタホルダー４２８が仮止め棚４１８に仮止めされる。もちろん仮止めと言っても、ケース部材４００の輸送中にコネクタホルダー４２８が仮止め棚４１８から外れない強度を有する設定になっており、従ってケース部材４００が外本体１００に組み込まれる前までは、コネクタホルダー４２８と一体のコネクタ４２５，４２７はケース部材４００に設けた仮止め棚４１８に仮止めされて動かない。よってケース部材４００を輸送したり、ケース部材４００を外本体１００に組み込む作業の最中に、ハーネス４２４，４２６（図１３参照）の先にあるコネクタ４２５，４２７が、ケース部材４００内の部品に当たってその部品はもちろん、自らも損傷する、というようなおそれがない。
【００８７】
そして、図８（ｂ）→図８（ａ）に示したように、ケース部材４００を外本体１００に固定した後の配線工程で、上記のように一方のベンチ側板４３４を外向きに反らせてコネクタホルダー４２８を仮止め棚４１８から外し、そのコネクタホルダー４２８を自己の取着片４３１が配線中継部材１１３の支持筒１２８に当たる位置まで移動させれば、コネクタ４２５，４２７が配線中継部材１１３のコネクタ１２４，１２５に嵌まるから（その詳細は後述する。）、その状態で取着片４３１のボタン形パネルファスナー４３２を押し込んで取着片４３１を支持筒１２８にロックする。なお、このとき図５，図６に二点鎖線で示したように、ベンチ部４３３にガイド用の案内レール４４０を設けておけば、コネクタホルダー４２８を奥に押し込むだけでよいため、作業性が向上する。
以上のようにして配線中継部材１１３に取り付けたコネクタホルダー４２８は、外本体１００の背板１０４を支持基盤として安定し、ケース部材から離間していて接触しないため、輸送時の振動等で外本体１００と遊技ユニットが相対的に動いても無理な負荷が加わらない。
【００８８】
ここまでの説明から、次のような技術的思想が把握できる。
（ａ）前面が開口し背面を背板で覆った箱形であって電源装置その他の本体側電気部品を備えた外本体と、
（ｂ）前記外本体に対し着脱自在なケース部材に複数の図柄を変動させる図柄変動表示装置その他のケース部材側電気部品を設けた遊技ユニットと、
（ｃ）前記本体側電気部品につながる本体側配線類と、前記ケース部材側電気部品につながるケース側配線類とを中継すべく前記外本体の背板に取り付けた配線中継部材と、
（ｄ）前記ケース側配線類の先端に取り付けたコネクタと、
（ｅ）該コネクタに取り付けたコネクタホルダーと、
（ｆ）該コネクタホルダーを仮止めするためケース部材に設けた仮止め部材と、
（ｇ）前記コネクタホルダーを前記配線中継部材に固定するための固定手段と、を有し、（ｈ）遊技ユニットを外本体に装着する前の状態で前記コネクタホルダーを仮止め部材に仮止めし、遊技ユニットを外本体に装着した状態で前記コネクタホルダーを仮止め部材から固定手段に付け替えてコネクタホルダーのコネクタを配線中継部材に接続するようにしたことを特徴とする
（ｉ）遊技機。
【００８９】
上記の遊技機は、遊技ユニットの外本体１００への装着とコネクタ同士の結合とを別々に行うようにしたものであるが、これとは対照的に、例えば遊技ユニットに直接コネクタを取り付け、遊技ユニットを外本体１００に押し込む動作で自動的にコネクタ同士を結合させる、という方式が考えられる。しかしこの方式は、質量の大きな遊技ユニットが輸送中などに外本体１００の内部で振動した場合、大きな負担がコネクタ結合部に掛かるため信頼性に不安があり、その対策にコストが掛かる課題がある。
【００９０】
また、本発明の遊技機は、外本体１００に１枚の扉形前面部材２００を取り付け、該扉形前面部材２００に対して遊技ユニットを物理的に独立させた構成であるが、これとは対照的に、扉形前面部材を上下２段に分割し、上部の扉形前面部材を遊技ユニット側の部品とする遊技機も考えられる。しかし、このような遊技機では、遊技中に興奮した遊技者が上部の扉形前面部材を叩いた場合にコネクタ結合部に直接衝撃が加わるためコネクタの結合が不安定になるおそれがあり、さらに上下の扉形前面部材同士の継ぎ目に対し新たな防犯構造を要する課題がある。
【００９１】
これに対し本発明の遊技機は、外本体１００に１枚の扉形前面部材２００を取り付け、該扉形前面部材２００に対して遊技ユニットを物理的に独立させた構成であり、さらに、コネクタホルダー４２８を配線中継部材１１３に接続した後、該コネクタホルダー４２８は、図５に示したように外本体１００に固定した部品（配線中継部材１１３）と結合し遊技ユニットから離間した独立構造になっているため、プリント基板にハンダ付けして用いる低コストで一般的なコネクタを使用した場合でも、輸送中においても、遊技中においても信頼性・耐久性に不安がない。また、遊技ユニットのみが機種変更時の交換対象であり、扉形前面部材２００は交換対象とならないため、機種変更のための遊技場の負担も軽くなる。
【００９２】
［コネクタ４２５，４２７とコネクタ１２４，１２５の結合］
前記のようにコネクタ４２５とコネクタ４２７は、１つのコネクタホルダー４２８に取り付けられている。こうすることによりコネクタホルダー４２８を配線中継部材１１３の所定の位置にセットする１回の動作で２つのコネクタ４２５，４２７の接続が完了する。
しかし現実の問題として、２つのコネクタ４２５，４２７とコネクタホルダー４２８という独立した要素を寄せ集めて一体にする構造では、コネクタ４２５，４２７とコネクタ１２４，１２５の「正確な位置決め」という困難な問題に直面する。すなわち２つのコネクタ４２５，４２７と配線中継部材１１３側のコネクタ１２４，１２５の４要素の位置決めが全て正確でなければ、コネクタ４２５，１２４とコネクタ４２７，１２５の一括結合は不可能であるのに、そのような位置決めの精度を量産品レベルのコストで達成するのは困難だからである。
そのような問題を解決する１つの手段として、プリント基板にハンダ付けすることなく結合時の融通性を高める機構を施したいわゆるドロワーコネクタを使用する方法が考えられるが、ドロワーコネクタ自体が高価であるため、まだコスト面の負担が大きい。
【００９３】
これに対し実施形態の配線手段では、基板支持部材たる配線中継部材１１３のコネクタ基板１２２，１２３を分割してそれぞれにコネクタ１２４，１２５を装着し、そのコネクタ基板１２２，１２３の少なくとも一方を、配線中継部材１１３の取付板１２０とカバー体１２１の間の隙間に非固定的に納めてコネクタ４２７とコネクタ１２５の結合方向と直交する方向（ここでの「直交」は、厳密な９０度にこだわらず、社会通念上のほぼ９０度という程度の意味である。）に遊動可能状態にする手段を講じている。かかる構成においてコネクタホルダー４２８の結合照準をコネクタ４２５とコネクタ１２４に定めた場合、もう一方のコネクタ４２７とコネクタ１２５の相対位置に若干の狂いがあっても、コネクタ基板１２３が遊動してその狂いを矯正すべく移動するから、コネクタ４２７とコネクタ１２５の結合も可能になる。これにより基板固着型で安価なＤＩＮ規格のコネクタで十分に対応できる。
【００９４】
ここまでの説明から、次のような技術的思想が把握できる。
（１）「２以上の配線用のコネクタと、その各コネクタと対をなす２以上の配線用のコネクタとを有する遊技機において、一方のコネクタグループを１つのコネクタホルダーに固着すると共にこれらと対をなす他のコネクタグループをコネクタ基板に装着し、さらにそのコネクタ基板をコネクタ毎に分割してその１つを基板支持部材に固定すると共に他のコネクタ基板を基板支持部材に対しコネクタの結合方向と直交する方向に遊動可能な状態に取り付けるようにしたことを特徴とする遊技機。」
（２）「前面が開口し背面を背板で覆った箱形であって電源装置その他の本体側電気部品を備えた外本体と、
前記外本体に対し着脱自在なケース部材に複数の図柄を変動させる図柄変動表示装置その他のケース部材側電気部品を設けた遊技ユニットと、
前記本体側電気部品につながる本体側配線類と、前記ケース部材側電気部品につながるケース側配線類とを中継すべく前記外本体の背板に取り付けた配線中継部材と、
前記ケース側配線類の先端に取り付けた２系統以上のコネクタと、
該２系統以上のコネクタをコネクタグループとして一括支持するコネクタホルダーと、  該コネクタホルダーを前記配線中継部材に固定するための固定手段と、
前記２系統以上のコネクタグループの各コネクタと対をなしプリント基板に固着して使用する基板固着型のコネクタによる他のコネクタグループと、
前記背板に取り付けた配線中継部材に取り付けられ、前記他のコネクタグループのコネクタを固着してなるコネクタ接続用端子基板と、を有し、
該コネクタ接続用端子基板をコネクタ毎に分割してその１つを前記配線中継部材に固定すると共に他のコネクタ接続用端子基板を配線中継部材に対しコネクタの結合方向と直交する方向に遊動可能な状態に取り付けるようにしたことを特徴とする遊技機。」
（３）「２以上の配線用のコネクタと、その各コネクタと対をなす２以上の配線用のコネクタとを有する遊技機において、
一方のコネクタグループをコネクタ基板を介して基板支持部材に固着すると共にこれらと対をなす他のコネクタグループを１つのコネクタホルダーに装着し、さらにそのコネクタホルダーに対しコネクタグループの中の１つのコネクタを固定すると共に他のコネクタをコネクタホルダーに対しコネクタの結合方向と直交する方向に遊動可能な状態に取り付けるようにしたことを特徴とする遊技機。」
（４）「前面が開口し背面を背板で覆った箱形であって電源装置その他の本体側電気部品を備えた外本体と、
前記外本体に対し着脱自在なケース部材に複数の図柄を変動させる図柄変動表示装置その他のケース部材側電気部品を設けた遊技ユニットと、
前記本体側電気部品につながる本体側配線類と、前記ケース部材側電気部品につながるケース側配線類とを中継すべく前記外本体の背板に取り付けた配線中継部材と、
前記ケース側配線類の先端に取り付けた２系統以上のコネクタと、
該２系統以上のコネクタをコネクタグループとして一括支持するコネクタホルダーと、  該コネクタホルダーを前記配線中継部材に固定するための固定手段と、
前記２系統以上のコネクタグループの各コネクタと対をなしプリント基板に固着して使用する基板固着型のコネクタによる他のコネクタグループと、
前記背板に取り付けた配線中継部材に取り付けられ、前記他のコネクタグループのコネクタを固着してなるコネクタ接続用端子基板と、を有し、
前記コネクタホルダーに対しコネクタグループの中の１つのコネクタを固定すると共に他のコネクタをコネクタホルダーに対しコネクタの結合方向と直交する方向に遊動可能な状態に取り付けるようにしたことを特徴とする遊技機。」
【００９５】
以上の遊技機は、固定したコネクタ接続用端子基板のコネクタに照準を合わせてコネクタホルダーを操作するようにすれば、他のコネクタ同士の相対位置に製造誤差等で若干の狂いがあっても、非固定のコネクタ接続用端子基板がコネクタごと遊動してその狂いを矯正すべく移動し誤差を吸収するから、結合照準でないコネクタ同士の結合も可能になる。
従って１つのコネクタホルダーを用いて複数系統のコネクタの一括接続が可能である。しかも使用しているコネクタは、プリント基板にハンダ付けして用いるような汎用的で安価な例えばＤＩＮ規格のものであり、コストも安い。
また、コネクタホルダーは、ナイラッチ（登録商標）等の固定手段で配線中継部材、ひいては該配線中継部材を介して外本体の背板に確実に固定される。一方、コネクタホルダーと遊技ユニットの間では、フレキシブルなハーネスを介してつながっているのみであり、遊技ユニットが動いたとしても、その動きはフレキシブルなハーネスが吸収するので、コネクタホルダーに動きは伝わらない。このため、たとえ輸送中の振動により外本体と遊技ユニットの間に相対的な動きが生じても、コネクタホルダーは、外本体のみと一緒に動き、遊技ユニットの干渉を受けないから、コネクタの結合部には全く負荷が掛からない。
よってコネクタ結合の信頼性が非常に高い。
【００９６】
なお、実施形態のように、小さいコネクタ１２５に対応する小さいコネクタ基板１２３を遊動可能とし、大きいコネクタ４２５，コネクタ１２４同士を結合の基準に定める構成は、その逆の構成に比べてコネクタ４２５，１２４，４２７，１２５の結合が楽に行える。小さいコネクタ基板１２３の方が軽い力で扱えるため、狂いの自動矯正が容易だからである。
また、実施形態では、図９のようにコネクタ４２５，１２４の方がもう一方のコネクタ４２７，１２５より先に結合するようになっており、そうすることにより結合照準のコネクタ同士が合わせやすい。
【００９７】
また、図９に拡大して示したように凸形のコネクタ４２５，４２７の凸部先端の周縁角部及び／又は凹形のコネクタ１２４，１２５の差込口の周縁角部に面取り部Ｃ（直線的な面取り、曲線的な面取りのいずれも可）を形成しておけば、面取り部Ｃのテーパに沿った誘導作用が、コネクタ同士の結合性をより良好にする。
【００９８】
また、実施形態のように、配線中継部材１１３のコネクタ基板１２２，１２３を遊動可能にする構成の他、コネクタホルダー４２８側のコネクタ４２５，４２７の何れか一方を遊動可能にすることも可能であり、その場合も上記と同様の作用効果が得られる。なお、かかるコネクタホルダー４２８の具体例を図１６−２に示した。この例では、コネクタホルダー４２８のホルダー主体４２９に雌ねじ付きの受筒４２９ａを突設し、一方、コネクタ４２７の両横に遊孔４２７ａを有する耳片４２７ｂを形成し、コネクタホルダー４２８の受筒４２９ａにコネクタ４２７の遊孔４２７ａを遊嵌させ、座金付きのビス４２７ｃをもって耳片４２７ｂの抜け止めとしている。そうすることによりコネクタ４２７は、コネクタホルダー４２８に対し、遊孔４２７ａと受筒４２９ａの径の差の範囲で自由に遊動し得る。この場合のコネクタ基板１２２，１２３は、一体にして取付板１２０に固定すればよい。
また、実施形態では２つのコネクタを１つのコネクタグループとして取り扱ったが、１つのコネクタグループのコネクタ数は２以上でもよい。
【００９９】
また、実施形態では図４，図１２に示したように、ケース部材４００の後面板４０５の裏側であって、前記図柄変動表示装置３００の装置ケース３０２の下斜板３１０に向けて凹ませたケーブル溝４３７が形成され、該ケーブル溝４３７の両端近傍にケース部材４００の側板４０４（又は後面板４０５）を貫く配線口４３８，４３８が開設されている。この配線口４３８，４３８とケーブル溝４３７は、図柄変動表示装置３００と主制御基板４０９等とを接続するためのものであり、図１１において図柄変動表示装置３００の装置ケース３０２の向かって右側面（扉形前面部材２００の非ヒンジ側の側面）に設けたリール基板３１２のケーブル３１３（図１２参照）を１つの配線口４３８からケース部材４００の外に引き出し、そのケーブル３１３を図１２のようにケーブル溝４３７に納め、さらにそのケーブル３１３の先を他の配線口４３８からケース部材４００の中に戻して主制御基板４０９等につなぐようにしてある。なお、ケーブル溝４３７には所定の間隔でケーブル止め４３９が設けられていて、ケーブル溝４３７からケーブル３１３が脱落しないようになっている。
【０１００】
しかして主制御基板４０９等とリール基板３１２は、共にケース部材４００の中にあるケース部材側電気部品であり、本来、ケース部材４００の外にケーブル３１３を引き出す必要はない。それを敢えてケース部材４００に配線口４３８，４３８とケーブル溝４３７を設けてケーブル３１３を外伝いに迂回させるようにした理由は次のとおりである。
【０１０１】
リール基板３１２の設置場所は、限られたスペースの中でコネクタを抜き差しする配線の作業性を考慮すると、図柄変動表示装置３００（装置ケース３０２）の側面のうち扉形前面部材２００の非ヒンジ側に相当する側が好ましい。もし逆に、扉形前面部材２００のヒンジ側に相当する装置ケース３０２の側面にリール基板３１２を設けると、開ききった扉形前面部材２００（図１参照。）とリール基板３１２が近接位置で向かい合うため、コネクタの抜き差しに必要な広い作業空間が確保できないからである。
しかし一方、リール基板３１２の接続対象たる基板類（主制御基板４０９，画像表示体５００等）の接続部がケース部材４００の扉形前面部材２００のヒンジ側に相当する側にあると、ケーブル３１３がケース部材４００の内部を横切る格好になる。
そうすると前記装置ケース３０２をケース部材４００に装着する際にケーブル３１３を噛み込んだり、逆に装置ケース３０２を引き出す際にケーブル３１３を引っ掛けるおそれがある。
【０１０２】
これに対し実施形態のように、ケース部材４００に配線口４３８，４３８とケーブル溝４３７を設けてケーブル３１３を外伝いに迂回させるようにすれば、上記したようなケーブル３１３のトラブルは生じない。また、配線作業は、装置ケース３０２を所定の位置から若干引き出した状態で行う方が作業性がよく、それに伴って配線口４３８からリール基板３１２までのケーブル３１３の長さは、配線代とでも言うべき余裕が設けられている。
従って装置ケース３０２を所定の位置にセットした状態でケーブル３１３に弛みが生じ、引き出し量によってはケーブル３１３の弛みが大きくなる。そのようなケーブル３１３の弛みが大きい場合には、配線口４３８と横並びの位置にある、装置ケース３０２の下斜板３１０とケース部材４００の奥のコーナー部分との間に出来る三角スペースにケーブル３１３の弛んだ部分を逃がすことができる。
【０１０３】
また、実施形態のようにケーブル溝４３７を装置ケース３０２の下斜板３１０に向かわせて膨らませるようにした場合には、ケース部材４００の奥と装置ケース３０２の下斜板３１０との間にできるデッドスペースの有効活用に役立つ。
なお、配線口４３８，４３８とケーブル溝４３７を使った配線は、リール基板３１２のケーブル３１３に限定する必要はなく、ケース部材４００の内部を横切るケーブル全てに適用できる。
【０１０４】
その他、図１１中、符号４４１は機能分離中継端子板である。
【０１０５】
以上のように構成されるスロットマシン１は、ケース部材４００を外本体１００に装着し、必要な配線を完了した完成品の状態で工場から出荷される。そして、その完成品のまま遊技場の遊技機設置島に取り付けられるが、このとき図２４想像線のように、外本体１００の天板１０３と遊技機設置島の上桟６００とを木ねじ等の固定部材６０１で止める場合は、扉形前面部材２００と画像表示体５００を開放し、外本体１００の貫通孔１３２に対しケース部材４００の内側から天窓部４４３越しに固定部材６０１を挿通させ、さらにドライバー等の工具６０２で天窓部４４３越しに固定部材６０１を締め付けて外本体１００の天板１０３と遊技機設置島の上桟６００とを固定的に連結する。なお、貫通孔１３２は複数設けられているため、必要に応じてその中から任意に選択して使用することができる。例えば、上桟６００の位置やサイズにばらつきがあってもその上桟６００に対応する貫通孔１３２を選択することができる。また、遊技機をまるごと入れ替える場合に、使用する貫通孔１３２を変更すれば、上桟６００の同じ位置に固定部材６０１の穴が開く弊害（いわゆる、ばか穴化）が防止できる。
【０１０６】
ところで、図２４に示したように外本体１００とケース部材４００の間には隙間Ｓが形成されており、画像表示体５００等から発生した熱が画像表示体５００の冷却ファン（図示せず）で煽られ、ケース部材４００の天窓部４４３から前記隙間Ｓを通って背板１０４の通気口１３３に至り、そこから遊技機設置島の内部に抜ける。このとき背板１０４とケース部材４００の間に配線中継部材１１３がありこれが障壁のごとく作用して前記隙間Ｓを広範囲に塞ぐから、隙間Ｓを流れる熱気がこの部分で遮られ、配線中継部材１１３より上方にある背板１０４の通気口１３３から積極的に外部に放出される。従って放熱効果が高い。
【０１０７】
［本発明の打込み機対策］
本発明のスロットマシン１は、打込み機の使用防止対策としてのハーネス付きコネクタのコネクタ引抜防止構造を始動レバー２１０及び主扉中継基板が収納された扉基板収納ケースに対して設けてある。なお、始動レバー２１０及び扉基板収納ケースの配設箇所は、図４６に示した従来のスロットマシンの扉形前面部材の裏面と同じ箇所である。
【０１０８】
［本発明の始動レバー］
図４２は、ハーネス付きコネクタの第１のコネクタ引抜防止構造を設けた本発明の始動レバー２１０の一部を破断して示す斜視図である。尚、始動レバー２１０は、裏面カバーの構造のみが従来の始動レバー２１０′と異なり、図４７で既に説明したものと同一の部材については同一の記号を付してある。
【０１０９】
裏面カバー７６８は、取付ベース７５４の裏面に突設された取付用周壁７６１に対して裏面カバー７６８の両側前部に設けられた係止爪７６２が取付用周壁７６１の両側に設けられた係止孔７６３に係合されて取り付けられる。裏面カバー７６８は、周壁７６８ａ及び後面を形成する後面板７６９を備え、裏面カバー７６８の内側の後面板７６９の内面にはセンサ取付部７７０が突設され、センサ取付部７７０にはセンサ固定用のネジを受けるネジ受部７７１が形成されている。また、裏面カバー７６８の周壁７６８ａの後面板７６９寄りには、ハーネス７６７ｃを外部に引き出すためのハーネス引出口７７２が開設されている。また、始動センサ７５６は、従来と同様、薄板状のセンサベース７５６ａの前面に左右に突設された検出部７５７を備え、始動センサ７５６の始動信号を外部に出力する出力コネクタ部７６６（雌型３ピン）がセンサベース７５６ａの裏面に設けられている。
【０１１０】
［始動センサの裏面カバーへの取り付け］
始動センサ７５６の裏面カバー７６８への取り付けは、まず、始動センサ７５６の出力コネクタ部７６６に、始動信号を伝達するためのハーネス付きコネクタの一端のコネクタ部材７６７ａ（雄型、図４７参照）を差し込んで接続し、ハーネス７６７ｃを裏面カバー７６８のハーネス引出口７７２から外部に引き出した状態とする。次に、センサベース７５６ａの裏面を裏面カバー７６８の内部に突設されているセンサ取付部７７０に当接させ、センサベース７５６ａの前面からワンウェイネジ７７３をセンサベース７５６ａの取付孔（図示せず）に挿通させ、さらにネジ受部７７１にねじ込んでセンサベース７５６ａを裏面カバー７６８に固定する。ワンウェイネジ７７３を用いて固定することで、裏面カバー７６８と始動センサ７５６とが取り外し不可能に結合される。これによって、裏面カバー７６８の後面板７６９とセンサベース７５６ａとの間の空間に、始動センサ７５６の出力コネクタ部７６６及びこれに接続されたハーネス付きコネクタの一方（図４７のコネクタ７６７ａ）が封じ込められる。よって、始動センサ７５６の出力コネクタ部７６６からハーネス付きコネクタの一端のコネクタ部材７６７ａを抜き取ることが不可能となる。そして、最後に、裏面カバー７６８を取付用周壁７６１の内周面に嵌め込むと、裏面カバー７６８の両側前部に設けられた係止爪７６２が取付用周壁７６１の両側に設けられた係止孔７６３に係合され、裏面カバー７６８がレバー本体７５２の取付ベース７５４に取り付けられる。なお、裏面カバー７６８と始動センサ７５６とを取り外し不可能に結合する手段としては、上記ワンウェイネジの他に、例えば、接着剤等による完全接着、シャーボルト（一定以上のトルクで締め付けるとネジ頭部が脱落して取れなくなる）による締結、カシメリベットによる結合等を例示することができる。
【０１１１】
［本発明の扉基板収納ケース］
図４３は、ハーネス付きコネクタの他端のコネクタ部材に関わる第２のコネクタ引抜防止構造と対本体接続用ハーネス付きコネクタのコネクタ部材に関わる第３のコネクタ引抜防止構造とを設けた本発明の扉基板収納ケース８００の斜視図である。図４３において、符号８０３は、扉基板収納ケース８００の上面を覆う透明な樹脂製の収納ケースカバーである。扉基板収納ケース８００は、収納ケースカバー８０３と、収納ケースカバー８０３によって上面全面が覆われるケース本体８００ａとからなり、扉基板収納ケース８００の内部に入力コネクタ部８０４が設けられた主扉中継基板（図示せず）が主扉中継基板収納部分８０２に収納された状態で、ケース本体８００ａに収納ケースカバー８０３が取り外し不可能に結合されている。ケース本体８００ａの側縁上端の複数箇所に爪部８００ｂが形成され、収納ケースカバー８０３の側縁下端に、前記複数の爪部８００ｂに対応する箇所に係合孔８０３ａが形成され、ケース本体８００ａの複数の爪部８００ｂに収納ケースカバー８０３の複数の係合孔８０３ａが係合されてケース本体８００ａの上面全面を覆うように収納ケースカバー８０３が装着される。さらに、ケース本体８００ａの一側縁にはネジ受部（図示せず）が突設され、この箇所に対応して収納ケースカバー８０３の一側に通孔（図示せず）を有する耳片８０３ｂが形成され、ワンウェイネジ８１９を耳片８０３ｂからケース本体８００ａのネジ受部にねじ込んでケース本体８００ａに収納ケースカバー８０３を取り外し不可能に（収納ケースカバー８０３を開けることが不可能に）結合している。なお、ケース本体８００ａと収納ケースカバー８０３とを取り外し不可能に結合する手段としても、前記したように、ワンウェイネジの他に、例えば、接着剤等による完全接着、シャーボルト（一定以上のトルクで締め付けるとネジ頭部が脱落して取れなくなる）による締結、カシメリベットによる結合等を例示することができる。
【０１１２】
本発明の扉基板収納ケース８００には、扉基板収納ケース８００の上面を覆う収納ケースカバー８０３の外面に、始動センサ７５６の出力コネクタ部７６６に接続したハーネス付きコネクタの他端のコネクタ部材７６７ｂ（図４８参照）を差し込んで接続する入力コネクタ部８０４の側方及び上方を覆うと共に、主扉中継基板から少なくとも前記始動信号を外部の遊技制御基板（主制御基板４０９）に向けて出力する対本体接続コネクタ部材８０５の周囲側方を取り囲むコネクタカバー８０８が設けられ、コネクタカバー８０８を例えば、カシメリベット９００で収納ケースカバー８０３にカシメ止めすることで、取り外し不可能に固定した第２及び第３のコネクタ引抜防止構造が設けられているものである。
【０１１３】
図４４は、コネクタカバー８０８を取り除いた状態を示す扉基板収納ケース８００の斜視図である。図４４に示すように、始動センサ７５６の出力コネクタ部７６６に接続したハーネス付きコネクタの他端のコネクタ部材７６７ｂ（図４８参照）を差し込んで接続する入力コネクタ部８０４（雌型ピン）は、主扉中継基板収納部分８０２の中央部に配設されている。収納ケースカバー８０３の外面の入力コネクタ部８０４の側方位置に、上面に受孔８０９を備えた支持筒８１０が突設されている。
【０１１４】
図４５は、コネクタカバー８０８及び支持筒８１０の一部を破断して示す扉基板収納ケース８００の斜視図である。コネクタカバー８０８は、収納ケースカバー８０３の上面に対して配設固定される。コネクタカバー８０８は、樹脂製であり、対本体接続コネクタ部材８０５の側部周囲を取り囲む縦長なコネクタ接続部材枠部８１１と、コネクタ接続部材枠部８１１の一側に一体に形成されると共に、入力コネクタ部８０４の側方及び上方を覆う被覆カバー部８１２とを備えている。入力コネクタ部８０４の上方を覆う被覆カバー部８１２の上板部８１３（図４３参照）は支持筒８１０の上方に延出されており、支持筒８１０の上方に対応する位置には固定用孔８１４が穿設され、固定用孔８１４の周囲を取り囲むように環状のボス部８１５（図４３参照）が突設されている。また、被覆カバー部８１２の側板部８１６には、その下端縁を切り欠いて形成されたハーネス引出口８１７が設けられている（図４３参照）。
【０１１５】
また、コネクタ接続部材枠部８１１の上面には、長方形状の規制開口８１８が開設されている。規制開口８１８の長手方向の寸法は、対本体接続コネクタ部材８０５の両端に設けられた両係合アーム８０７，８０７の外側面間の寸法よりも僅かに大きく形成されている。このため、図４３及び図４５に示されるように、収納ケースカバー８０３の上面にコネクタカバー８０８を取り付けた状態においては、コネクタ接続部材枠部８１１の上面の規制開口８１８の両側部が、対本体接続コネクタ部材８０５の両端に設けられた両係合アーム８０７，８０７の外側面に当接されることにより、両側部の係合アーム８０７，８０７の互いに離隔する方向（外側方向）への回動が規制される。従って、扉基板収納ケース８００の対本体接続コネクタ部材８０５の両側部の係合アーム８０７，８０７を互いに離隔する方向（外側方向）に回動させることは不可能であり、扉基板収納ケース８００（主扉中継基板）の対本体接続コネクタ部材８０５に接続されている対本体接続用ハーネス付きコネクタのコネクタ部材（図示せず）を抜き取ることはできない。
【０１１６】
［コネクタカバーの収納ケースカバーへの取り付け］
コネクタカバー８０８の収納ケースカバー８０３への取り付けは、
（１）まず、主扉中継基板（図示せず）と主中継基板（外本体に配設、図示せず）との接続に用いる対本体接続用ハーネス付きコネクタの一端のコネクタ部材（図示せず）を、コネクタカバー８０８の上面側から規制開口８１８に挿通させてコネクタカバー８０８の裏面側に配置させる。
（２）そして、該対本体接続用ハーネス付きコネクタのコネクタ部材を、扉基板収納ケース８００の対本体接続コネクタ部材８０５に向けて差し込む。前述のように、対本体接続用ハーネス付きコネクタのコネクタ部材を完全に差し込むと、両側の係合アーム８０７，８０７がコネクタ部材に押されて元位置に戻り、先端の係止爪８０６，８０６が対本体接続用ハーネス付きコネクタのコネクタ部材の後端面に引っ掛かり、引き抜き方向の動きを規制して抜け止めされる。
（３）収納ケースカバー８０３の外面に露出されている入力コネクタ部８０４に、始動センサ７５６の出力コネクタ部７６６に接続されたハーネス付きコネクタの他端のコネクタ７６７ｂを差し込んで接続する。
【０１１７】
（４）コネクタカバー８０８（コネクタ接続部材枠部８１１の上面）の規制開口８１８に対本体接続コネクタ部材８０５の両側の係合アーム８０７，８０７を挿通させると共に、被覆カバー部８１２の固定用孔８１４に収納ケースカバー８０３の上面に突設された支持筒８１０の受孔８０９を一致させ、コネクタカバー８０８を収納ケースカバー８０３の上面に配置させる。なお、入力コネクタ部８０４に差し込んで接続したハーネス付きコネクタのハーネス７６７ｃ（図４８参照）を被覆カバー部８１２の側板部８１６に形成されたハーネス引出口８１７から外部に引き出した状態とする。
【０１１８】
この状態において、入力コネクタ部８０４に接続したハーネス付きコネクタの他端のコネクタ部材７６７ｂの側方及び上方が被覆カバー部８１２によって覆われる。また、同時に、コネクタ接続部材枠部８１１の上面の規制開口８１８の両側部が、扉基板収納ケース８００の対本体接続コネクタ部材８０５の両端に設けられた両係合アーム８０７，８０７の外側面に当接されることにより、両側部の係合アーム８０７，８０７の互いに離隔する方向（外側方向）への回動が規制される。
【０１１９】
（５）上方からカシメリベット（ナイロン製）９００を被覆カバー部８１２の固定用孔８１４に差し込む（図４３参照）。カシメリベット９００を下方に向けて押し込むと、カシメリベット９００の先端部分が収納ケースカバー８０３の上面に突設された支持筒８１０の受孔８０９に圧入され、コネクタカバー８０８が収納ケースカバー８０３に対してカシメ止めされる。カシメ止めされた状態では、カシメリベット９００の頭部の周囲が環状のボス部８１５によって密接に取り囲まれるため、カシメリベット９００を抜き取ることが不可能となる。
【０１２０】
よって、収納ケースカバー８０３の上面からコネクタカバー８０８が取り外し不可能に結合される。コネクタカバー８０８を取り外すことができないから、コネクタカバー８０８の被覆カバー部８１２によって、収納ケースカバー８０３の入力コネクタ部８０４に接続された始動センサの始動信号を伝達するハーネス付きコネクタの他端のコネクタ部材７６７ｂが被覆されて抜き取ることが不可能となる（第２のコネクタ引抜防止構造）。なお、収納ケースカバー８０３にコネクタカバー８０８を取り外し不可能に結合する手段としても、カシメリベットの他に、例えば、接着剤等による完全接着、ワンウェイネジによる締結、シャーボルト（一定以上のトルクで締め付けるとネジ頭部が脱落して取れなくなる）による締結等を例示することができる。
【０１２１】
また、コネクタ接続部材枠部８１１の規制開口８１８の両側部が、対本体接続コネクタ部材８０５の両端に設けられた両係合アーム８０７，８０７の外側面に当接されることにより、両係合アーム８０７，８０７の互いに離隔する方向への回動が規制され、扉基板収納ケース８００の対本体接続コネクタ部材８０５から、主中継基板へ信号伝達する対本体接続用ハーネス付きコネクタのコネクタ部材を抜き取ることが不可能となる（第３のコネクタ引抜防止構造）。
【０１２２】
また、上述の実施形態において、前記第１のコネクタ引抜防止構造及び前記第２のコネクタ引抜防止構造を備えた構成とした上で、対本体接続コネクタ部材８０５と対本体接続用ハーネス付きコネクタのコネクタ部材との接続部分に設けられる第３のコネクタ引抜防止構造（コネクタ接続部材枠部８１１の規制開口８１８）に代えて、下記の第４のコネクタ引抜防止構造を備えた構成とした場合でも、本発明の目的・効果を達成することが可能である。すなわち、コネクタカバー８０８は、被覆カバー部８１２と、コネクタ接続部材枠部８１１に代えて対本体接続コネクタ部材８０５を外部に対して覆う対本体接続コネクタ部材被覆カバー部とを備え、対本体接続コネクタ部材被覆カバー部が、対本体接続用ハーネス付きコネクタのハーネスを外部に引き出すための対本体接続用ハーネス引出口を備えた構造とする。前記対本体接続用ハーネス付きコネクタの前記コネクタ接続部材が、前記扉基板収納ケースの前記対本体コネクタ接続部材に差し込まれて接続され、かつ前記対本体接続用ハーネス付きコネクタのハーネスが前記対本体接続用ハーネス引出口から外部に引き出され、前記第４のコネクタ引抜防止構造が、コネクタカバー８０８の前記対本体接続コネクタ部材被覆カバー部によって、前記対本体接続コネクタ部材及び前記対本体接続用ハーネス付きコネクタの前記コネクタ接続部材が外部に対して被われて抜き取ることが不可能とされたコネクタ引抜防止構造とする。
【図面の簡単な説明】
【０１２３】
【図１】スロットマシンの分解斜視図である。
【図２】扉形前面部材を省略した状態を示すスロットマシンの分解斜視図である。
【図３】スロットマシンの斜視図である。
【図４】扉形前面部材を省略した状態を示すスロットマシンの縦断面図である。
【図５】図４のＺ１部拡大図である。
【図６】コネクタホルダーを移動させた状態を示す図４のＺ１部拡大図である。
【図７】扉形前面部材を省略した状態を示すスロットマシンの横断面図である。
【図８】（ａ）は図７のＺ２部拡大図、（ｂ）はコネクタホルダーを移動させた状態を示す図７のＺ２部拡大図である。
【図９】図８（ａ）の要部を示す拡大図である。
【図１０】背板側を示すスロットマシン要部の横断面図である。
【図１１】ケース部材の分解斜視図である。
【図１２】ケース部材を後ろから見た斜視図である。
【図１３】（ａ），（ｂ）はコネクタホルダーの仮止め状態を説明するケース部材の要部の斜視図である。
【図１４】配線中継部材の分解斜視図である。
【図１５】配線中継部材のカバー体を省略した正面図である。
【図１６−１】コネクタホルダーの分解斜視図である。
【図１６−２】コネクタホルダーの分解斜視図である。
【図１７】ケース部材を止めるストッパーの斜視図である。
【図１８】他の形態を示すストッパーの斜視図である。
【図１９】ケース部材のガイド構造を示す要部の断面図である。
【図２０】ケース部材のガイド構造を示す要部の断面図である。
【図２１】把手の他の形態を示す図柄変動表示装置の部分斜視図である。
【図２２】ケース部材と外本体側のストッパーとの関係を示す要部の斜視図である。
【図２３】配線窓と図柄変動表示装置のリールとの関係を示す要部の断面図である。
【図２４】スロットマシン上部の縦断面図である。
【図２５】メダル放出装置を省略してスロットマシンの下半部を示す斜視図である。
【図２６】図２５の分解斜視図である。
【図２７】スロットマシンの裏側から放熱口を見た背面図である。
【図２８】電源装置を示すスロットマシンの一部断面部分正面図である。
【図２９】電源装置を下から見上げた状態を示す斜視図である。
【図３０】他の形態を示すもので外本体の側板と電源装置の要部断面図である。
【図３１】他の形態を示す照明装置の概略断面図である。
【図３２】透明板と発光ユニットを分解して示す扉形前面部材の斜視図である。
【図３３】透明板を分解して示す扉形前面部材の斜視図である。
【図３４】透明板を装着した扉形前面部材の図３２Ａ−Ａ線相当断面図である。
【図３５】ヒンジ金具の分解・組み立て斜視図である。
【図３６】ヒンジ金具の連鎖を示す線図である。
【図３７】扉形前面部材を示す要部の横断平面図である。
【図３８】開く途中の扉形前面部材を示す要部の横断平面図である。
【図３９】扉形前面部材の上半部を示す裏側から見た斜視図である。
【図４０】他のヒンジ金具の例を示す扉形前面部材の要部横断平面図である。
【図４１】図４０の扉形前面部材の開く途中を示す要部の横断平面図である。
【図４２】ハーネス付きコネクタのコネクタ部材に関わる第１のコネクタ引抜防止構造を設けた本発明の始動レバーの一部を破断して示す斜視図である。
【図４３】ハーネス付きコネクタのコネクタ部材に関わる第２のコネクタ引抜防止構造及び対本体接続用ハーネス付きコネクタのコネクタ部材に関わる第３のコネクタ引抜防止構造を設けた本発明の扉基板収納ケースの斜視図である。
【図４４】コネクタカバーを取り除いた状態を示す扉基板収納ケースの斜視図である。
【図４５】コネクタカバー及び支持筒の一部を破断して示す扉基板収納ケースの斜視図である。
【図４６】従来のスロットマシンの扉形前面部材の裏面の要部を拡大して示す図である。
【図４７】従来の始動レバーの一部を破断して斜め裏面から示す斜視図である。
【図４８】従来の扉基板収納ケースの斜視図である。
【符号の説明】
【０１２４】
１  スロットマシン
１０  隙間
１００  外本体
１００ａ  回転軸
１０１  底板
１０２  側板
１０２ａ  凸面部
１０２ｂ  カード部
１０３  天板
１０４  背板
１０４ａ  放熱口
１０４ｂ  コード引出口
１０５  仕切板
１０６  突段部
１０７  取付片
１０８  取付片
１０９  開口
１１０  メダル放出装置
１１０ａ  装置本体
１１０ｂ  ホッパ
１１０ｃ  放出口
１１０ｄ  オーバーフロー樋
１１１  メダル用補助収納箱
１１２  電源装置
１１２ａ  装置ケース
１１２ｂ  上面板
１１２ｃ  後面板
１１２ｄ  正面板
１１２ｅ  側面板
１１２ｆ  斜面板
１１２ｇ  通気孔
１１２ｈ  脚部
１１２ｉ  通気空間
１１２ｊ  段部
１１２ｋ  取付片
１１２ｍ  突部
１１２ｐ  透孔
１１２ｑ  木ねじ
１１２ｒ  底面板
１１２ｓ  基板
１１３  配線中継部材
１１４  ボス孔
１１５  レール部材
１１６  レール部材
１１７  ストッパー
１１８  取付具
１１９  本体側配線類
１２０  取付板
１２１  カバー体
１２２  コネクタ基板（大）
１２３  コネクタ基板（小）
１２４  コネクタ
１２５  コネクタ
１２６  開口
１２７  開口
１２８  支持筒
１２９  配線ダクト
１３０  配線止め
１３１  外部中継端子板
１３２  貫通孔
１３３  通気口
２００  扉形前面部材
２００ａ  通孔
２０１  メダル用受皿
２０２  操作部
２０３  投入口
２０５  １枚投入ボタン
２０６  ＭＡＸ投入ボタン
２０７  メダルセレクタ
２０８  メダル返却ボタン
２０９  貯留解除スイッチ
２１０  始動レバー
２１１ａ  リール停止ボタン
２１１ｂ  リール停止ボタン
２１１ｃ  リール停止ボタン
２１２  メダル樋
２１３  返却樋
２１４  透視窓
２１４ａ  透明板
２１４ｂ  縁部材
２１４ｃ  透孔
２１４ｄ  通孔
２１５  錠装置
２１５ｂ  支持片
２１６  額フレーム
２１７  発光ユニット
２１７ａ  発光体
２１７ｂ  反射部材
２１８  固定部材
２１９  凹溝
３００  図柄変動表示装置
３０１ａ  リール
３０１ｂ  リール
３０１ｃ  リール
３０２  装置ケース
３０３  駆動手段
３０４  底部板
３０５  天部板
３０６  右側板
３０７  左側板
３０８  後部板
３０９  上斜板
３１０  下斜板
３１１  把手
３１２  リール基板
３１３  ケーブル
３１４  ベルト通し
３１５  抜け止め部
３１６  下把手
４００  ケース部材
４０１  開口部
４０２  補強桟
４０２ａ  案内部
４０３  底板
４０４  側板
４０５  後面板
４０６  天板
４０７  補強部材
４０８  配線作業空間
４０９  主制御基板（遊技制御基板）
４１０  ボス
４１１  配線窓
４１２  凹段部
４１３  テーパ部
４１４  車輪
４１５  鍔
４１６  引掛部
４１７  空きスペース
４１８  仮止め棚
４１９  凹み
４２０  ヒンジ金具
４２０ａ  固定部材
４２０ｂ  回動部材
４２０ｃ  短リンク
４２０ｄ  長リンク
４２０ｅ  固定片
４２０ｆ  軸承片
４２０ｇ  重合領域
４２０ｈ  重合領域
４２０ｉ  ピン孔
４２０ｊ  ピン孔
４２０ｋ  ピン
４２１  ロック片
４２２  把手口
４２３  ケース側配線類
４２４  ハーネス
４２５  コネクタ
４２６  ハーネス
４２７  コネクタ
４２７ａ  遊孔
４２７ｂ  耳片
４２７ｃ  ビス
４２８  コネクタホルダー
４２９  ホルダー主体
４２９ａ  受筒
４３０  透孔
４３１  取着片
４３２  ボタン形パネルファスナー
４３３  ベンチ部
４３４  ベンチ側板
４３５  内向き爪片
４３６  指掛部
４３７  ケーブル溝
４３８  配線口
４３９  ケーブル止め
４４０  案内レール
４４１  機能分離中継端子板
４４２  係止孔
４４３  天窓部
４４４  補強帯
５００  画像表示体
５０１  枠部材
５０２  照明装置
５０３  基板
５０４  発光ダイオード
５０５  透明性蓋板
５０６  チューブ枠
５０７  透明性カバー
５０８  受部
５０９  係合部
６００  上桟
６０１  固定部材
６０２  工具
６０３  ビス
７００  連結具
７０１  固定鞘部材
７０２  ロッド
７０３  止め軸
７０３ａ  スプリング
７０４  ストッパ
７０５  溝
７０６  摘み片
２１０′  始動レバー（従来）
７５０  操作部
７５１  操作レバー
７５２  レバー本体
７５３  支軸
７５４  取付ベース
７５５  固定用孔
７５６  始動センサ
７５６ａ  センサベース
７５７  検出部
７５８  間隙
７５９  バネ
７６０  裏面カバー
７６１  取付用周壁
７６２  係止爪
７６３  係止孔
７６４  凹部
７６５  固定ネジ
７６６  出力コネクタ部
７６７ａ  コネクタ部材（ハーネス付きコネクタ）
７６７ｂ  コネクタ部材（ハーネス付きコネクタ）
７６７ｃ  ハーネス
７６８  裏面カバー
７６８ａ  周壁
７６９  後面板
７７０  センサ取付部
７７１  ネジ受部
７７２  ハーネス引出口
７７３  ワンウェイネジ
８００  扉基板収納ケース
８００ａ  ケース本体
８００ｂ  爪部
８００′  扉基板収納ケース（従来）
８０１  扉装飾駆動基板収納部分
８０２  主扉中継基板収納部分
８０３  収納ケースカバー
８０３ａ  係合孔
８０３ｂ  耳片
８０４  入力コネクタ部
８０５  対本体接続コネクタ部材
８０６  係止爪
８０７  係合アーム
８０８  コネクタカバー
８０９  受孔
８１０  支持筒
８１１  コネクタ接続部材枠部
８１２  被覆カバー部
８１３  上板部
８１４  固定用孔
８１５  ボス部
８１６  側板部
８１７  ハーネス引出口
８１８  規制開口
８１９  ワンウェイネジ
９００  カシメリベット
【図１】
2008295617.tif 000003
【図２】
2008295617.tif 000004
【図３】
2008295617.tif 000005
【図４】
2008295617.tif 000006
【図５】
2008295617.tif 000007
【図６】
2008295617.tif 000008
【図７】
2008295617.tif 000009
【図８】
2008295617.tif 000010
【図９】
2008295617.tif 000011
【図１０】
2008295617.tif 000012
【図１１】
2008295617.tif 000013
【図１２】
2008295617.tif 000014
【図１３】
2008295617.tif 000015
【図１４】
2008295617.tif 000016
【図１５】
2008295617.tif 000017
【図１６−１】
2008295617.tif 000018
【図１６−２】
2008295617.tif 000019
【図１７】
2008295617.tif 000020
【図１８】
2008295617.tif 000021
【図１９】
2008295617.tif 000022
【図２０】
2008295617.tif 000023
【図２１】
2008295617.tif 000024
【図２２】
2008295617.tif 000025
【図２３】
2008295617.tif 000026
【図２４】
2008295617.tif 000027
【図２５】
2008295617.tif 000028
【図２６】
2008295617.tif 000029
【図２７】
2008295617.tif 000030
【図２８】
2008295617.tif 000031
【図２９】
2008295617.tif 000032
【図３０】
2008295617.tif 000033
【図３１】
2008295617.tif 000034
【図３２】
2008295617.tif 000035
【図３３】
2008295617.tif 000036
【図３４】
2008295617.tif 000037
【図３５】
2008295617.tif 000038
【図３６】
2008295617.tif 000039
【図３７】
2008295617.tif 000040
【図３８】
2008295617.tif 000041
【図３９】
2008295617.tif 000042
【図４０】
2008295617.tif 000043
【図４１】
2008295617.tif 000044
【図４２】
2008295617.tif 000045
【図４３】
2008295617.tif 000046
【図４４】
2008295617.tif 000047
【図４５】
2008295617.tif 000048
【図４７】
2008295617.tif 000049
【図４８】
2008295617.tif 000050
【図４６】
2008295617.tif 000051